(57)【要約】  ホステッドペイロードオペレーションのための方法は、ホステッドペイロード（ＨｏＰ）オペレーションセンター（ＨＯＣ）によって、暗号化ホステッドコマンドをホスト宇宙船オペレーションセンター（ＳＯＣ）に送信することを含む。この方法は、ホストＳＯＣによって、暗号化ホストコマンド及び暗号化ホステッドコマンドを輸送体に送信することも含む。加えて、方法は、非暗号化ホストコマンドに従ってホストペイロードを再設定すること、及び非暗号化ホステッドコマンドに従ってホステッドペイロードを再設定することを含む。更に、方法は、ホストペイロードアンテナによって、ホストペイロードデータをホスト受信アンテナに送信することを含む。加えて、方法は、ホステッドペイロードアンテナによって、ホステッドペイロードデータをホステッド受信アンテナ及び／又はホスト受信アンテナに送信することを含む。方法は、輸送体上のテレメトリ送信器によって、暗号化ホストテレメトリ及び暗号化ホステッドテレメトリをホストＳＯＣに送信することも含む。更に、方法は、ホストＳＯＣによって、暗号化ホステッドテレメトリをＨＯＣに送信することを含む。【選択図】図２
2021530883.tif 000002
【特許請求の範囲】
【請求項１】
ホステッドペイロードオペレーションのための方法であって、
ホステッドペイロード（ＨｏＰ）オペレーションセンター（ＨＯＣ）によって、暗号化ホステッドコマンドをホスト宇宙船オペレーションセンター（ＳＯＣ）に送信することと、
前記ホストＳＯＣによって、暗号化ホストコマンド及び前記暗号化ホステッドコマンドを輸送体に送信することであって、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、輸送体に送信することと、
前記輸送体上の第１通信セキュリティモジュールによって、前記第１ＣＯＭＳＥＣバラエティを利用して前記暗号化ホストコマンドを復号し、非暗号化ホストコマンドを生成することと、
前記輸送体上の第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従って前記輸送体上のホストペイロードを再設定することと、
前記非暗号化ホステッドコマンドに従って前記輸送体上のホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用することにより前記ホストペイロードからの非暗号化ホストテレメトリ及び前記ホステッドペイロードからの非暗号化ホステッドテレメトリを暗号化し、暗号化ホストテレメトリ及び暗号化ホステッドテレメトリを生成することと、
前記輸送体上のテレメトリ送信器によって、前記暗号化ホストテレメトリ及び前記暗号化ホステッドテレメトリを前記ホストＳＯＣに送信することと、
前記ホストＳＯＣによって、前記暗号化ホステッドテレメトリを前記ＨＯＣに送信することとを含む、
方法。
【請求項２】
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、請求項１に記載の方法。
【請求項３】
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、請求項１に記載の方法。
【請求項４】
前記輸送体が飛行輸送体である、請求項１に記載の方法。
【請求項５】
前記飛行輸送体が、衛星、航空機、無人航空機（ＵＡＶ）、又は宇宙飛行機のうちの１つである、請求項４に記載の方法。
【請求項６】
前記ＨＯＣによって、前記第２ＣＯＭＳＥＣバラエティを利用することにより前記非暗号化ホステッドコマンドを暗号化して、前記暗号化ホステッドコマンドを作成することと、
前記ホストＳＯＣによって、前記第１ＣＯＭＳＥＣバラエティを利用することにより前記非暗号化ホストコマンドを暗号化して、前記暗号化ホストコマンドを作成することとを更に含む、請求項１に記載の方法。
【請求項７】
前記輸送体上のホストコマンド受信器によって、前記暗号化ホストコマンドを受信することと、
前記輸送体上のホステッドコマンド受信器によって、前記暗号化ホステッドコマンドを受信することと、
前記ホストコマンド受信器によって、前記暗号化ホストコマンドを前記第１通信セキュリティモジュールに送信することと、
前記ホステッドコマンド受信器によって、前記暗号化ホステッドコマンドを前記第２通信セキュリティモジュールに送信することとを更に含む、請求項１に記載の方法。
【請求項８】
前記第１通信セキュリティモジュールによって、前記非暗号化ホストコマンドを前記ホストペイロードに送信することと、
前記第２通信セキュリティモジュールによって、前記非暗号化ホステッドコマンドを前記ホステッドペイロードに送信することとを更に含む、請求項１に記載の方法。
【請求項９】
前記ホストペイロードによって、前記第１通信セキュリティモジュールに前記非暗号化ホストテレメトリを送信することと、
前記ホステッドペイロードによって、前記第１通信セキュリティモジュールに前記非暗号化ホステッドテレメトリを送信することとを更に含む、請求項１に記載の方法。
【請求項１０】
前記第１通信セキュリティモジュールによって、前記暗号化ホストテレメトリ及び前記暗号化ホステッドテレメトリを前記テレメトリ送信器に送信することを更に含む、請求項１に記載の方法。
【請求項１１】
前記ホストＳＯＣによって、前記第１ＣＯＭＳＥＣバラエティを利用して、かつホステッド逆変換情報を有さないデータベースを利用して、前記暗号化ホストテレメトリを復号し、前記非暗号化ホストテレメトリを生成することと、
前記ＨＯＣによって、前記第１ＣＯＭＳＥＣバラエティを利用して、かつホスト逆変換情報を有さないデータベースを利用して、前記暗号化ホステッドテレメトリを復号し、前記非暗号化ホステッドテレメトリを生成することとを更に含む、請求項１に記載の方法。
【請求項１２】
ホステッドペイロードオペレーションのための方法であって、
ホステッドペイロード（ＨｏＰ）オペレーションセンター（ＨＯＣ）によって、暗号化ホステッドコマンドをホスト宇宙船オペレーションセンター（ＳＯＣ）に送信することと、
前記ホストＳＯＣによって、暗号化ホストコマンド及び前記暗号化ホステッドコマンドを輸送体に送信することであって、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、輸送体に送信することと、
第１通信セキュリティモジュールによって、前記第１ＣＯＭＳＥＣバラエティを利用して前記暗号化ホストコマンドを復号し、非暗号化ホストコマンドを生成することと、
第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従ってホストペイロードを再設定することと、
前記非暗号化ホステッドコマンドに従ってホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用して非暗号化ホストテレメトリを暗号化し、暗号化ホストテレメトリを生成することと、
ホストテレメトリ送信器によって、前記暗号化ホストテレメトリを前記ホストＳＯＣに送信することと、
前記第２通信セキュリティモジュールによって、前記第２ＣＯＭＳＥＣバラエティを利用して非暗号化ホステッドテレメトリを暗号化し、暗号化ホステッドテレメトリを生成することと、
ホステッドテレメトリ送信器によって、前記暗号化ホステッドテレメトリを前記ホストＳＯＣに送信することと、
前記ホストＳＯＣによって、前記暗号化ホステッドテレメトリを前記ＨＯＣに送信することとを含む、
方法。
【請求項１３】
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、請求項１２に記載の方法。
【請求項１４】
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、請求項１２に記載の方法。
【請求項１５】
前記輸送体が飛行輸送体である、請求項１２に記載の方法。
【請求項１６】
前記飛行輸送体が、衛星、航空機、無人航空機（ＵＡＶ）、又は宇宙飛行機のうちの１つである、請求項１５に記載の方法。
【請求項１７】
ホステッドペイロードオペレーションのための方法であって、
ホステッドペイロード（ＨｏＰ）オペレーションセンター（ＨＯＣ）によって、暗号化ホステッドコマンドを輸送体に送信することと、
ホスト宇宙船オペレーションセンター（ＳＯＣ）によって、暗号化ホストコマンドを前記輸送体に送信することとを含み、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化され、更に、
前記輸送体上の第１通信セキュリティモジュールによって、前記第１通信セキュリティ（ＣＯＭＳＥＣ）バラエティを利用して前記暗号化ホストコマンドを復号し、非暗号化ホストコマンドを生成することと、
前記輸送体上の第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従ってホストペイロードを再設定することと、
前記非暗号化ホステッドコマンドに従ってホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用して非暗号化ホストテレメトリを暗号化し、暗号化ホストテレメトリを生成することと、
前記輸送体上のホストテレメトリ送信器によって、前記暗号化ホストテレメトリを前記ホストＳＯＣに送信することと、
前記第２通信セキュリティモジュールによって、前記第２ＣＯＭＳＥＣバラエティを利用して非暗号化ホステッドテレメトリを暗号化し、暗号化ホステッドテレメトリを生成することと、
前記ホステッドテレメトリ送信器によって、前記暗号化ホステッドテレメトリを前記ＨＯＣに送信することとを含む、
方法。
【請求項１８】
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、請求項１７に記載の方法。
【請求項１９】
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、請求項１７に記載の方法。
【請求項２０】
前記輸送体が飛行輸送体であり、
前記飛行輸送体が、衛星、航空機、無人航空機（ＵＡＶ）、又は宇宙飛行機のうちの１つである、請求項１７に記載の方法。
【請求項２１】
ホステッドペイロードオペレーションのためのシステムであって、
暗号化ホステッドコマンドをホスト宇宙船オペレーションセンター（ＳＯＣ）に送信するための、ホステッドペイロード（ＨｏＰ）オペレーションセンター（ＨＯＣ）であって、
前記ホストＳＯＣが、暗号化ホストコマンド及び前記暗号化ホステッドコマンドを輸送体に送信し、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、ＨＯＣと、
前記第１ＣＯＭＳＥＣバラエティを利用して前記暗号化ホストコマンドを復号し、非暗号化ホストコマンドを生成するための、前記輸送体上の第１通信セキュリティモジュールと、
前記第２ＣＯＭＳＥＣバラエティを利用して前記暗号化ホステッドコマンドを復号し、非暗号化ホステッドコマンドを生成するための、前記輸送体上の第２通信セキュリティモジュールと、
前記非暗号化ホストコマンドに従って再設定される、前記輸送体上のホストペイロードと、
前記非暗号化ホステッドコマンドに従って再設定される、前記輸送体上のホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナとを備え、
前記第１通信セキュリティモジュールは、前記第１ＣＯＭＳＥＣバラエティを利用することにより前記ホストペイロードからの非暗号化ホストテレメトリ及び前記ホステッドペイロードからの非暗号化ホステッドテレメトリを暗号化して、暗号化ホストテレメトリ及び暗号化ホステッドテレメトリを生成し、前記システムは更に、
前記暗号化ホストテレメトリ及び前記暗号化ホステッドテレメトリを前記ホストＳＯＣに送信するための、前記輸送体上のテレメトリ送信器を備え、
前記ホストＳＯＣが前記暗号化ホステッドテレメトリを前記ＨＯＣに送信する、
システム。
【請求項２２】
ホステッドペイロードオペレーションのためのシステムであって、
暗号化ホステッドコマンドをホスト宇宙船オペレーションセンター（ＳＯＣ）に送信するための、ホステッドペイロード（ＨｏＰ）オペレーションセンター（ＨＯＣ）であって、
前記ホストＳＯＣが、暗号化ホストコマンド及び前記暗号化ホステッドコマンドを輸送体に送信し、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、ＨＯＣと、
前記第１ＣＯＭＳＥＣバラエティを利用して前記暗号化ホストコマンドを復号し、非暗号化ホストコマンドを生成するための、第１通信セキュリティモジュールと、
前記第２ＣＯＭＳＥＣバラエティを利用して前記暗号化ホステッドコマンドを復号し、非暗号化ホステッドコマンドを生成するための、第２通信セキュリティモジュールと、
前記非暗号化ホストコマンドに従って再設定されるホストペイロードと、
前記非暗号化ホステッドコマンドに従って再設定されるホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナと、を備え、
前記第１通信セキュリティモジュールは、前記第１ＣＯＭＳＥＣバラエティを利用して非暗号化ホストテレメトリを暗号化して、暗号化ホストテレメトリを生成し、前記システムは更に、
前記暗号化ホストテレメトリを前記ホストＳＯＣに送信するためのホストテレメトリ送信器を備え、
前記第２通信セキュリティモジュールは、第２ＣＯＭＳＥＣバラエティを利用して非暗号化ホステッドテレメトリを暗号化して、暗号化ホステッドテレメトリを生成し、前記システムは更に、
前記暗号化ホステッドテレメトリを前記ホストＳＯＣに送信するためのホステッドテレメトリ送信器を備え、
前記ホストＳＯＣが前記暗号化ホステッドテレメトリを前記ＨＯＣに送信する、
システム。
【請求項２３】
ホステッドペイロードオペレーションのためのシステムであって、
暗号化ホステッドコマンドを輸送体に送信するための、ホステッドペイロード（ＨｏＰ）オペレーションセンター（ＨＯＣ）と、
暗号化ホストコマンドを前記輸送体に送信するための、ホスト宇宙船オペレーションセンター（ＳＯＣ）とを備え、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化され、前記システムは更に、
前記第１通信セキュリティ（ＣＯＭＳＥＣ）バラエティを利用して前記暗号化ホストコマンドを復号し、非暗号化ホストコマンドを生成するための、前記輸送体上の第１通信セキュリティモジュールと、
前記第２ＣＯＭＳＥＣバラエティを利用して前記暗号化ホステッドコマンドを復号し、非暗号化ホステッドコマンドを生成するための、前記輸送体上の第２通信セキュリティモジュールと、
前記非暗号化ホストコマンドに従って再設定されるホストペイロードと、
前記非暗号化ホステッドコマンドに従って再設定されるホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナとを備え、
前記第１通信セキュリティモジュールは、前記第１ＣＯＭＳＥＣバラエティを利用して非暗号化ホストテレメトリを暗号化して、暗号化ホストテレメトリを生成し、前記システムは更に、
前記暗号化ホストテレメトリを前記ホストＳＯＣに送信するための、前記輸送体上のホストテレメトリ送信器を備え、
前記第２通信セキュリティモジュールは、前記第２ＣＯＭＳＥＣバラエティを利用して非暗号化ホステッドテレメトリを暗号化して、暗号化ホステッドテレメトリを生成し、
前記ホストテレメトリ送信器が前記暗号化ホステッドテレメトリを前記ＨＯＣに送信する、
システム。
【発明の詳細な説明】
【技術分野】
【０００１】
［０００１］本開示はペイロードオペレーションに関する。詳細には、本開示はホステッドペイロードオペレーションに関する。
【背景技術】
【０００２】
［０００２］現在、輸送体（例えば衛星）の典型的なペイロードオペレーションは、輸送体上のペイロードの入力と出力との切替えを実施する能力を有する。ペイロードに対するこの切替えは全て、リソース配分プライバシーを有さない単一の衛星コントローラによって命令され、制御されている。
［０００３］そのため、ペイロードに対するリソース配分におけるプライバシーが許容される、改善型のペイロードオペレーション設計が必要とされている。
【発明の概要】
【０００３】
［０００４］本開示は、ホステッドペイロードオペレーションのための方法、システム、及び装置に関する。一又は複数の実施形態では、ホステッドペイロードオペレーションのための方法は、ホステッドペイロード（ＨｏＰ）オペレーションセンター（ＨＯＣ）によって、暗号化ホステッドコマンドをホスト宇宙船オペレーションセンター（ＳＯＣ）に送信することを含む。この方法は、ホストＳＯＣによって、暗号化ホストコマンド及び暗号化ホステッドコマンドを輸送体に送信することも含む。一又は複数の実施形態では、暗号化ホストコマンドは第１通信セキュリティ（ＣＯＭＳＥＣ）バラエティを利用して暗号化され、暗号化ホステッドコマンドは第２ＣＯＭＳＥＣバラエティを利用して暗号化される。加えて、方法は、輸送体上の第１通信セキュリティモジュールによって、第１ＣＯＭＳＥＣバラエティを利用して暗号化ホストコマンドを復号し、非暗号化ホストコマンドを生成することを含む。更に、方法は、輸送体上の第２通信セキュリティモジュールによって、第２ＣＯＭＳＥＣバラエティを利用して暗号化ホステッドコマンドを復号し、非暗号化ホステッドコマンドを生成することを含む。方法は、非暗号化ホストコマンドに従って、輸送体上のホストペイロードを再設定することも含む更に、方法は、非暗号化ホステッドコマンドに従って、輸送体上のホステッドペイロードを再設定することを含む。加えて、方法は、輸送体上のホストペイロードアンテナによって、ホストペイロードデータをホスト受信アンテナに送信することを含む。方法は、輸送体上のホステッドペイロードアンテナによって、ホステッドペイロードデータをホステッド受信アンテナ及び／又はホスト受信アンテナに送信することも含む。更に、方法は、第１通信セキュリティモジュールによって、第１ＣＯＭＳＥＣバラエティを利用することによりホストペイロードからの非暗号化ホストテレメトリ及びホステッドペイロードからの非暗号化ホステッドテレメトリを暗号化し、暗号化ホストテレメトリ及び暗号化ホステッドテレメトリを生成することを含む。方法は、輸送体上のテレメトリ送信器によって、暗号化ホストテレメトリ及び暗号化ホステッドテレメトリをホストＳＯＣに送信することも含む。更に、方法は、ホストＳＯＣによって、暗号化ホステッドテレメトリをＨＯＣに送信することを含む。
【０００４】
［０００５］少なくとも１つの実施形態では、非暗号化ホストコマンドに従ってホストペイロードを再設定すること、及び非暗号化ホステッドコマンドに従ってホステッドペイロードを再設定することは、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、少なくとも１つのビームの少なくとも１つの周波数帯域、トランスポンダビームフォーミング設定、少なくとも１つのビームの実効等方輻射電力（ＥＩＲＰ）、トランスポンダチャネル、及び／又はビームステアリングを、調整することを含む。
【０００５】
［０００６］一又は複数の実施形態では、非暗号化ホストコマンドに従ってホストペイロードを再設定すること、及び非暗号化ホステッドコマンドに従ってホステッドペイロードを再設定することは、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、及び／又は少なくとも１つのデジタル結合器を、再設定することを含む。
【０００６】
［０００７］少なくとも１つの実施形態では、輸送体は飛行輸送体である。一又は複数の実施形態では、この飛行輸送体は衛星、航空機、無人航空機（ＵＡＶ）、又は宇宙飛行機である。
【０００７】
［０００８］一又は複数の実施形態では、方法は、ＨＯＣによって、第２ＣＯＭＳＥＣバラエティを利用することにより非暗号化ホステッドコマンドを暗号化して、暗号化ホステッドコマンドを作成することを更に含む。更に、方法は、ホストＳＯＣによって、第１ＣＯＭＳＥＣバラエティを利用することにより非暗号化ホストコマンドを暗号化して、暗号化ホストコマンドを作成することを含む。
【０００８】
［０００９］少なくとも１つの実施形態では、方法は、輸送体上のホストコマンド受信器によって、暗号化ホストコマンドを受信することを更に含む。方法は、輸送体上のホステッドコマンド受信器によって、暗号化ホステッドコマンドを受信することも含む。加えて、方法は、ホストコマンド受信器によって、暗号化ホストコマンドを第１通信セキュリティモジュールに送信することを含む。更に、方法は、ホステッドコマンド受信器によって、暗号化ホステッドコマンドを第２通信セキュリティモジュールに送信することを含む。
【０００９】
［００１０］一又は複数の実施形態では、方法は、第１通信セキュリティモジュールによって、非暗号化ホストコマンドをホストペイロードに送信することを更に含む。方法は、第２通信セキュリティモジュールによって、非暗号化ホステッドコマンドをホステッドペイロードに送信することも含む。
【００１０】
［００１１］少なくとも１つの実施形態では、方法は、ホストペイロードによって、第１通信セキュリティモジュールに非暗号化ホストテレメトリを送信することを更に含む。一部の実施形態では、方法は、ホステッドペイロードによって、第１通信セキュリティモジュールに非暗号化ホステッドテレメトリを送信することを更に含む。
【００１１】
［００１２］一又は複数の実施形態では、方法は、第１通信セキュリティモジュールによって、暗号化ホストテレメトリ及び暗号化ホステッドテレメトリをテレメトリ送信器に送信することを更に含む。
【００１２】
［００１３］少なくとも１つの実施形態では、方法は、ホストＳＯＣによって、第１ＣＯＭＳＥＣバラエティを利用して、かつホステッド逆変換（ｄｅｃｏｍｍｕｔａｔｅｄ）情報を有さないデータベースを利用して、暗号化ホストテレメトリを復号し、非暗号化ホストテレメトリを生成することを更に含む。方法は、ＨＯＣによって、第１ＣＯＭＳＥＣバラエティを利用して、かつホスト逆変換情報を有さないデータベースを利用して、暗号化ホステッドテレメトリを復号し、非暗号化ホステッドテレメトリを生成することも含む。
【００１３】
［００１４］一又は複数の実施形態では、ホステッドペイロードオペレーションのための方法は、ＨＯＣによって、暗号化ホステッドコマンドをホスト宇宙船オペレーションセンター（ＳＯＣ）に送信することを含む。この方法は、ホストＳＯＣによって、暗号化ホストコマンド及び暗号化ホステッドコマンドを輸送体に送信することを更に含む。方法は、第１通信セキュリティモジュールによって、第１ＣＯＭＳＥＣバラエティを利用して暗号化ホストコマンドを復号し、非暗号化ホストコマンドを生成することも含む。加えて、方法は、第２通信セキュリティモジュールによって、第２ＣＯＭＳＥＣバラエティを利用して暗号化ホステッドコマンドを復号し、非暗号化ホステッドコマンドを生成することを含む。更に、方法は、非暗号化ホストコマンドに従って、ホストペイロードを再設定することを含む。方法は、非暗号化ホステッドコマンドに従って、ホステッドペイロードを再設定することも含む方法は、輸送体上のホストペイロードアンテナによって、ホストペイロードデータをホスト受信アンテナに送信することも含む。更に、方法は、輸送体上のホステッドペイロードアンテナによって、ホステッドペイロードデータをホステッド受信アンテナ及び／又はホスト受信アンテナに送信することを含む。加えて、方法は、第１通信セキュリティモジュールによって、第１ＣＯＭＳＥＣバラエティを利用して非暗号化ホストテレメトリを暗号化し、暗号化ホストテレメトリを生成することを含む。更に、方法は、ホストテレメトリ送信器によって、暗号化ホストテレメトリをホストＳＯＣに送信することを含む。方法は、第２通信セキュリティモジュールによって、第２ＣＯＭＳＥＣバラエティを利用して非暗号化ホステッドテレメトリを暗号化し、暗号化ホステッドテレメトリを生成することも含む。加えて、方法は、ホステッドテレメトリ送信器によって、暗号化ホステッドテレメトリをホストＳＯＣに送信することを含む。更に、方法は、ホストＳＯＣによって、暗号化ホステッドテレメトリをＨＯＣに送信することを含む。
【００１４】
［００１５］少なくとも１つの実施形態では、ホステッドペイロードオペレーションのための方法は、ホステッドペイロード（ＨｏＰ）オペレーションセンター（ＨＯＣ）によって、暗号化ホステッドコマンドを輸送体に送信することを含む。この方法は、ホストＳＯＣによって、暗号化ホストコマンドを輸送体に送信することを更に含む。方法は、輸送体上の第１通信セキュリティモジュールによって、第１ＣＯＭＳＥＣバラエティを利用して暗号化ホストコマンドを復号し、非暗号化ホストコマンドを生成することも含む。加えて、方法は、輸送体上の第２通信セキュリティモジュールによって、第２ＣＯＭＳＥＣバラエティを利用して暗号化ホステッドコマンドを復号し、非暗号化ホステッドコマンドを生成することを含む。更に、方法は、非暗号化ホストコマンドに従って、ホストペイロードを再設定することを含む。加えて、方法は、非暗号化ホステッドコマンドに従って、ホステッドペイロードを再設定することを含む。方法は、輸送体上のホストペイロードアンテナによって、ホストペイロードデータをホスト受信アンテナに送信することも含む。更に、方法は、輸送体上のホステッドペイロードアンテナによって、ホステッドペイロードデータをホステッド受信アンテナ及び／又はホスト受信アンテナに送信することを含む。加えて、方法は、第１通信セキュリティモジュールによって、第１ＣＯＭＳＥＣバラエティを利用して非暗号化ホストテレメトリを暗号化し、暗号化ホストテレメトリを生成することを含む。更に、方法は、輸送体上のホストテレメトリ送信器によって、暗号化ホストテレメトリをホストＳＯＣに送信することを含む。方法は、第２通信セキュリティモジュールによって、第２ＣＯＭＳＥＣバラエティを利用して非暗号化ホステッドテレメトリを暗号化し、暗号化ホステッドテレメトリを生成することも含む。更に、方法は、ホステッドテレメトリ送信器によって、暗号化ホステッドテレメトリをＨＯＣに送信することを含む。
【００１５】
［００１６］一又は複数の実施形態では、ホステッドペイロードオペレーションのためのシステムは、暗号化ホステッドコマンドをホスト宇宙船オペレーションセンター（ＳＯＣ）に送信するための、ホステッドペイロード（ＨｏＰ）オペレーションセンター（ＨＯＣ）を備える。このシステムは、暗号化ホストコマンド及び暗号化ホステッドコマンドを輸送体に送信するためのホストＳＯＣを更に備える。一又は複数の実施形態では、暗号化ホストコマンドは第１通信セキュリティ（ＣＯＭＳＥＣ）バラエティを利用して暗号化され、暗号化ホステッドコマンドは第２ＣＯＭＳＥＣバラエティを利用して暗号化される。システムは、第１ＣＯＭＳＥＣバラエティを利用して暗号化ホストコマンドを復号し、非暗号化ホストコマンドを生成するための、輸送体上の第１通信セキュリティモジュールも備える。加えて、システムは、第２ＣＯＭＳＥＣバラエティを利用して暗号化ホステッドコマンドを復号し、非暗号化ホステッドコマンドを生成するための、輸送体上の第２通信セキュリティモジュールを備える。更に、システムは、非暗号化ホストコマンドに従って再設定される、輸送体上のホストペイロードを備える。システムは、非暗号化ホステッドコマンドに従って再設定される、輸送体上のホステッドペイロードも備える。加えて、システムは、ホストペイロードデータをホスト受信アンテナに送信するための、輸送体上のホストペイロードアンテナを備える。更に、システムは、ホステッドペイロードデータをホステッド受信アンテナ及び／又はホスト受信アンテナに送信するための、輸送体上のホステッドペイロードアンテナを備える。システムは、第１ＣＯＭＳＥＣバラエティを利用することによりホストペイロードからの非暗号化ホストテレメトリ及びホステッドペイロードからの非暗号化ホステッドテレメトリを暗号化して、暗号化ホストテレメトリ及び暗号化ホステッドテレメトリを生成するための、第１通信セキュリティモジュールも備える。加えて、システムは、暗号化ホストテレメトリ及び暗号化ホステッドテレメトリをホストＳＯＣに送信するための、輸送体上のテレメトリ送信器を備える。更に、システムは、暗号化ホステッドテレメトリをＨＯＣに送信するためのホストＳＯＣを備える。
【００１６】
［００１７］少なくとも１つの実施形態では、ホステッドペイロードオペレーションのためのシステムは、暗号化ホステッドコマンドをホスト宇宙船オペレーションセンター（ＳＯＣ）に送信するための、ホステッドペイロード（ＨｏＰ）オペレーションセンター（ＨＯＣ）を備える。このシステムは、暗号化ホストコマンド及び暗号化ホステッドコマンドを輸送体に送信するためのホストＳＯＣを更に備える。一又は複数の実施形態では、暗号化ホストコマンドは第１通信セキュリティ（ＣＯＭＳＥＣ）バラエティを利用して暗号化され、暗号化ホステッドコマンドは第２ＣＯＭＳＥＣバラエティを利用して暗号化される。システムは、第１ＣＯＭＳＥＣバラエティを利用して暗号化ホストコマンドを復号し、非暗号化ホストコマンドを生成するための、第１通信セキュリティモジュールも備える。加えて、システムは、第２ＣＯＭＳＥＣバラエティを利用して暗号化ホステッドコマンドを復号し、非暗号化ホステッドコマンドを生成するための、第２通信セキュリティモジュールを備える。更に、システムは、非暗号化ホストコマンドに従って再設定される、ホストペイロードを備える。システムは、非暗号化ホステッドコマンドに従って再設定される、ホステッドペイロードも備える。加えて、システムは、ホストペイロードデータをホスト受信アンテナに送信するための、輸送体上のホストペイロードアンテナを備える。システムは、ホステッドペイロードデータをホステッド受信アンテナ及び／又はホスト受信アンテナに送信するための、輸送体上のホステッドペイロードアンテナも備える。加えて、システムは、第１ＣＯＭＳＥＣバラエティを利用して非暗号化ホストテレメトリを暗号化し、暗号化ホストテレメトリを生成するための、第１通信セキュリティモジュールを備える。システムは、暗号化ホストテレメトリをホストＳＯＣに送信するためのホストテレメトリ送信器も備える。加えて、システムは、第２ＣＯＭＳＥＣバラエティを利用して非暗号化ホステッドテレメトリを暗号化し、暗号化ホステッドテレメトリを生成するための、第２通信セキュリティモジュールを備える。システムは、暗号化ホステッドテレメトリをホストＳＯＣに送信するためのホステッドテレメトリ送信器も備える。更に、システムは、暗号化ホステッドテレメトリをＨＯＣに送信するためのホストＳＯＣを備える。
【００１７】
［００１８］少なくとも１つの実施形態では、ホステッドペイロードオペレーションのためのシステムは、暗号化ホステッドコマンドを輸送体に送信するための、ホステッドペイロード（ＨｏＰ）オペレーションセンター（ＨＯＣ）を備える。このシステムは、暗号化ホストコマンドを輸送体に送信するためのホストＳＯＣを更に備える。一又は複数の実施形態では、暗号化ホストコマンドは第１通信セキュリティ（ＣＯＭＳＥＣ）バラエティを利用して暗号化され、暗号化ホステッドコマンドは第２ＣＯＭＳＥＣバラエティを利用して暗号化される。システムは、第１通信セキュリティ（ＣＯＭＳＥＣ）バラエティを利用して暗号化ホストコマンドを復号し、非暗号化ホストコマンドを生成するための、輸送体上の第１通信セキュリティモジュールも備える。加えて、システムは、第２ＣＯＭＳＥＣバラエティを利用して暗号化ホステッドコマンドを復号し、非暗号化ホステッドコマンドを生成するための、輸送体上の第２通信セキュリティモジュールを備える。更に、システムは、非暗号化ホストコマンドに従って再設定される、ホストペイロードを備える。システムは、非暗号化ホステッドコマンドに従って再設定される、ホステッドペイロードも備える。加えて、システムは、ホストペイロードデータをホスト受信アンテナに送信するための、輸送体上のホストペイロードアンテナを備える。更に、システムは、ホステッドペイロードデータをホステッド受信アンテナ及び／又はホスト受信アンテナに送信するための、輸送体上のホステッドペイロードアンテナを備える。システムは、第１ＣＯＭＳＥＣバラエティを利用して非暗号化ホストテレメトリを暗号化し、暗号化ホストテレメトリを生成するための、第１通信セキュリティモジュールも備える。加えて、システムは、暗号化ホストテレメトリをホストＳＯＣに送信するための、輸送体上のホストテレメトリ送信器を備える。システムは、第２ＣＯＭＳＥＣバラエティを利用して非暗号化ホステッドテレメトリを暗号化し、暗号化ホステッドテレメトリを生成するための、第２通信セキュリティモジュールも備える。更に、システムは、暗号化ホステッドテレメトリをＨＯＣに送信するためのホステッドテレメトリ送信器を備える。
【００１８】
［００１９］これらの特徴、機能、及び利点は、本開示の様々な実施形態において個別に実現されることも、更に別の実施形態において組み合わされることも、可能である。
【００１９】
［００２０］本開示の上述の特徴、態様、及び利点、並びにそれ以外の特徴、態様、及び利点は、以下の「発明を実施するための形態」、付随する特許請求の範囲、及び添付図面によって、より深く理解されよう。
【図面の簡単な説明】
【００２０】
【図１】［００２１］本開示の少なくとも１つの実施形態による、ホステッドペイロードオペレーションのための開示しているシステムの簡略化されたアーキテクチャを示す図である。
【図２】［００２２］本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示しているシステムを示す図である。
【図３Ａ】［００２３］本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示している方法のフロー図を示す。
【図３Ｂ】本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示している方法のフロー図を示す。
【図３Ｃ】本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示している方法のフロー図を示す。
【図４】［００２４］本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示しているシステムを示す図である。
【図５Ａ】［００２５］本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示す。
【図５Ｂ】本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示す。
【図５Ｃ】本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示す。
【図５Ｄ】本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示す。
【図６】［００２６］本開示の少なくとも１つの実施形態による、ホストユーザが（第１ＣＯＭＳＥＣバラエティを利用して暗号化された）暗号化ホストコマンドを輸送体に送信し、ホステッドユーザが（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示しているシステムを示す図である。
【図７Ａ】［００２７］本開示の少なくとも１つの実施形態による、ホストユーザが（第１ＣＯＭＳＥＣバラエティを利用して暗号化された）暗号化ホストコマンドを輸送体に送信し、ホステッドユーザが（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図である。
【図７Ｂ】本開示の少なくとも１つの実施形態による、ホストユーザが（第１ＣＯＭＳＥＣバラエティを利用して暗号化された）暗号化ホストコマンドを輸送体に送信し、ホステッドユーザが（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図である。
【図７Ｃ】本開示の少なくとも１つの実施形態による、ホストユーザが（第１ＣＯＭＳＥＣバラエティを利用して暗号化された）暗号化ホストコマンドを輸送体に送信し、ホステッドユーザが（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図である。
【発明を実施するための形態】
【００２１】
［００２８］本書で開示している方法及び装置は、ホステッドペイロードオペレーションための動作システムを提供する。本開示のシステムにより、輸送体の複数のオペレータが輸送体のリソースを非公開で共有することが可能になる。
【００２２】
［００２９］上記で既述しているように、現在、輸送体（例えば衛星）の典型的なペイロードオペレーションは、輸送体上のペイロードの入力と出力との切替えを実施する能力を有する。ペイロードに対するこの切替えは全て、リソース配分プライバシーを有さない単一の衛星コントローラによって命令され、制御される。
【００２３】
［００３０］開示しているシステムにより、輸送体のリソースの非公開での配分及び制御が可能になり、これによって、非公開で動的にかつ需要に応じてリソース（例えばホストペイロード及び／又はホステッドペイロード）を配分する能力が、輸送体のユーザに付与される。
【００２４】
［００３１］輸送体のリソースの非公開での配分及び制御のための開示しているシステムの、ホストペイロード及び／又はホステッドペイロードは、様々な異なる種類のトランスポンダを採用しうることに留意すべきである。例えば、様々な異なる種類のデジタルトランスポンダ、様々な異なる種類のアナログトランスポンダ（例えば従来的なリピータ型トランスポンダ）、及び様々な異なる種類のアナログトランスポンダとデジタルトランスポンダとの組み合わせを含むが、これらに限定されるわけではない、様々な異なる種類のトランスポンダが用いられうる。
【００２５】
［００３２］本開示では、帯域内周波数帯（ｉｎ−ｂａｎｄ  ｆｒｅｑｕｅｎｃｙ  ｂａｎｄ（ｓ））とは、ペイロードデータ（例えばホストペイロードデータ及び／又はホステッドペイロードデータ）の送信に利用される周波数帯（複数可）と同じ周波数帯（複数可）を指し、帯域外周波数帯（ｏｕｔ−ｏｆ−ｂａｎｄ  ｆｒｅｑｕｅｎｃｙ  ｂａｎｄ（ｓ））とは、ペイロードデータ（例えばホストペイロードデータ及び／又はホステッドペイロードデータ）の送信に利用される周波数帯（複数可）と同じではない周波数帯（複数可）を指すことに、留意すべきである。
【００２６】
［００３３］以下の説明では、システムについてのより網羅的な説明を提供するために、多数の詳細事項が明記される。しかし、開示しているシステムは、かかる特定の詳細事項がなくとも実践されうることが、当業者には自明となろう。そのほか、システムを不要に分かりにくくしないように、周知の特徴については詳しく説明していない。
【００２７】
［００３４］本書では、本開示の実施形態が、機能的かつ／又は論理的な構成要素及び様々な処理ステップの観点で説明されることがある。かかる構成要素は、特定の機能を実施するよう構成された任意の数のハードウェア構成要素、ソフトウェア構成要素、及び／又はファームウェア構成要素によって実現されうることを、認識すべきである。例えば、本開示の一実施形態では、様々な集積回路構成要素（例えばメモリ素子、デジタル信号処理素子、論理素子、ルックアップテーブルなど）が用いられてよく、かかる構成要素は、一又は複数のプロセッサ、マイクロプロセッサ、又はその他の制御デバイスの制御のもとで、多種多様な機能を実行しうる。加えて、当業者には、本開示の実施形態はその他の構成要素と協働して実践されうること、及び本書に記載のシステムは本開示の例示的な一実施形態にすぎないことが認識されよう。
【００２８】
［００３５］本書では、簡潔にするために、衛星通信システムに関する従来的な技法及び構成要素、並びにシステム（及びこのシステムの個々の動作構成要素）のその他の機能的態様については、詳しく説明しないことがある。更に、本書に包含されている様々な図に示した接続線は、様々な要素同士の間の例示的な機能関連性及び／又は物理的連結を表わすことを意図している。本開示の一実施形態において、多数の代替的又は追加的な機能関連性又は物理的連結が提示されうることに留意すべきである。
【００２９】
［００３６］図１は、本開示の少なくとも１つの実施形態による、ホステッドペイロードオペレーションのための開示しているシステムの簡略化されたアーキテクチャを示す図１００である。この図では、複数の実現可能なホステッドペイロード設定のうちの一簡略図が示されている。詳細には、この図は宇宙セグメント１１０及び地上セグメント１２０を示している。宇宙セグメント１１０は輸送体を表わしている。飛行輸送体を含むがこれに限定されるわけではない様々な異なる種類の輸送体が、輸送体として用いられうる。更に、衛星、航空機、無人航空機（ＵＡＶ）、及び宇宙飛行機を含むがこれらに限定されるわけではない、様々な異なる種類の飛行輸送体が、輸送体として用いられうる。
【００３０】
［００３７］衛星が輸送体として用いられている場合、衛星は典型的にはコンピュータ制御されるシステムを含むことに留意すべきである。衛星は、一般に、バス１３０とペイロード（例えばホストペイロード及び一又は複数のホステッドペイロード）１４０とを含む。バス１３０は、衛星を制御するシステム（このシステムは構成要素を含む）を含みうる。これらのシステムは、発電及び電力制御、熱制御、遠隔測定（テレメトリ）、姿勢制御、軌道制御、並びに他の好適な動作といった、タスクを実施する。
【００３１】
［００３８］衛星のペイロード１４０は衛星のユーザに機能を提供する。ペイロード１４０は、アンテナ、トランスポンダ、及び他の好適なデバイスを含みうる。例えば、通信に関しては、インターネットアクセス、電話通信、ラジオ、テレビ、及びその他の種類の通信を提供するために、衛星のペイロード１４０が使用されうる。一又は複数の実施形態では、ペイロード１４０は、複数の別個のペイロード（ホストペイロード及び一又は複数のホステッドペイロード）を含むことに留意すべきである。
【００３２】
［００３９］衛星のペイロード１４０は種々のエンティティによって使用されうる。例えば、ペイロード１４０は、ホストユーザ、ホステッドユーザ（複数可）、その他の顧客、又はこれらの何らかの組み合わせによって使用されうる。
【００３３】
［００４０］例えば、ホストユーザは、ペイロード（例えばホステッドペイロード（複数可））１４０の別々の部分を、別々の顧客（例えばホステッドユーザ（複数可））にリースしうる。一例では、衛星のペイロード（例えばホステッドペイロード（複数可））１４０によって生成されたアンテナビームの一群が１つの顧客にリースされうる一方、アンテナビームの第２の群は第２の顧客にリースされうる。別の例では、衛星のペイロード（例えばホストペイロード）１４０によって生成されたアンテナビームの一群が、衛星のホストユーザによって利用されうる一方、ペイロード（例えばホステッドペイロード）１４０によって生成されたアンテナビームの第２の群は、顧客（例えばホステッドユーザ）にリースされうる。更に別の例では、衛星のペイロード（例えばホステッドペイロード（複数可））１４０によって生成されたアンテナビームの一部又は全部が、１つの顧客と第２の顧客とによって共有されうる。衛星が種々のユーザによって共有される場合、複数のユーザが衛星との共有通信リンク（例えば、インターフェースＡ）を有しても、各ユーザが衛星との個別通信リンク（例えばインターフェースＡ及びＤ）を有してもよい。
【００３４】
［００４１］衛星を複数の顧客（例えばホステッドユーザ）にリースすることにより、衛星のユーザ（例えばホストユーザ）が獲得しうる収益が増大しうる。更に、顧客は、顧客が衛星を購入し運用するコスト、衛星を建造し運用するコスト、又は衛星全体リースするコストを下回るコストで、衛星の全リソースのうちの一サブセットを使用しうる。
【００３５】
［００４２］図１を再び参照するに、地上セグメント１２０は、ホスト宇宙船オペレーションセンター（ＳＯＣ）（例えば、衛星のホストペイロードの制御に関連する地上ステーション）１５０と、一又は複数のホステッドペイロード（ＨｏＰ）オペレーションセンター（ＨＯＣ（ｓ））（例えば、衛星のホステッドペイロードの制御に関連する地上ステーション（複数可））１６０とを備える。
【００３６】
［００４３］図１は、いくつかの異なる実現可能な通信リンク（すなわちインターフェースＡ〜Ｄ）を示している。開示しているシステムは、図示されているこれらの通信リンクの一部又は全部を採用しうることに留意すべきである。複数のリンクを含みうるインターフェースＡは、ホストＳＯＣ１５０から衛星に命令を下すための、帯域外のコマンド及びテレメトリのリンクである。複数のリンクを含みうるインターフェースＢは、バス１３０とペイロード１４０との間の通信リンクである。インターフェースＢは、必須アイテム（電力など）を制御するために使用されうる。インターフェースＢを介してバス１３０からペイロード１４０に通信されうる情報は、時間、位置推算表（ｅｐｈｅｍｅｒｉｓ）、及びペイロードコマンドを含みうるがこれらに限定されるわけではない。インターフェースＢを介してペイロード１４０からバス１３０に通信されうる情報は、ペイロードテレメトリを含みうるがこれに限定されるわけではない。
【００３７】
［００４４］複数のリンクを含みうるインターフェースＣは、バス及び／又はペイロードのための帯域内のコマンド及びテレメトリのリンクである。複数のリンクを含みうるインターフェースＤは、ＨＯＣ（複数可）１６０から衛星に命令を下すための、コマンド及びテレメトリのリンクである。インターフェースＥは、ホストＳＯＣ１５０とＨＯＣ１６０との間の複数のリンクを含みうる。
【００３８】
［００４５］図２は、本開示の少なくとも１つの実施形態による、ホストユーザ（すなわちホストＳＯＣ）２５０が（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示しているシステムを示す図２００である。この図には、輸送体２１０と、ホストＳＯＣ２５０と、ＨＯＣ２６０とが図示されている。
【００３９】
［００４６］オペレーションにおいて、ＨＯＣ２６０は、第２ＣＯＭＳＥＣバラエティを利用することにより非暗号化ホステッドコマンド（すなわち非暗号化ＨｏＰ  ＣＭＤ）を暗号化して、暗号化ホステッドコマンド（すなわち暗号化ＨｏＰ  ＣＭＤ）を作成する。ホステッドコマンドは、ＨＯＣ２６０によって利用されるホステッドペイロード２０５を設定するために使用されるコマンドである。ホストＳＯＣ２５０は、第１ＣＯＭＳＥＣバラエティを利用することにより非暗号化ホストコマンド（すなわち非暗号化ホストＣＭＤ）を暗号化して、暗号化ホストコマンド（すなわち、暗号化ホストＣＭＤ）を作成する。ホストコマンドは、ホストＳＯＣ２５０によって利用されるホストペイロード２０６を設定するために使用されるコマンドである。
【００４０】
［００４７］図２では、ホストＳＯＣ２５０の地上アンテナがそのオペレーションビルディングの直ぐ隣に置かれているように描かれているが、他の実施形態では、ホストＳＯＣ２５０の地上アンテナはそのオペレーションビルディングから遠く離れて配置されることがある（例えば、地上アンテナはオペレーションビルディングとは別の国に置かれることもある）ことに留意されたい。
【００４１】
［００４８］第１ＣＯＭＳＥＣバラエティが、少なくとも１つの暗号化キー及び／又は少なくとも１つのアルゴリズム（例えばタイプ１の暗号化アルゴリズム又はタイプ２の暗号化アルゴリズム）を含みうることにも、留意すべきである。更に、第２ＣＯＭＳＥＣバラエティが、少なくとも１つの暗号化キー及び／又は少なくとも１つの暗号化アルゴリズム（例えばタイプ１の暗号化アルゴリズム又はタイプ２の暗号化アルゴリズム）を含みうることに、留意すべきである。
【００４２】
［００４９］ＨＯＣ２６０は次いで、暗号化ホステッドコマンドをホストＳＯＣ２５０に送信する２１５。ホストＳＯＣ２５０は、暗号化ホステッドコマンドを受信した後に、輸送体２１０に、暗号化ホストコマンドを送信し２２０、かつ暗号化ホステッドコマンドを送信する２２５。ホストＳＯＣ２５０は、帯域外周波数帯（複数可）（すなわち、ペイロードデータを送信するために利用される周波数帯（複数可）と同じではない周波数帯（複数可））を利用して、暗号化ホストコマンド及び暗号化ホストテッドコマンドを送信する２２０、２２５。輸送体２１０上のホストコマンド受信器２３５が、暗号化ホストコマンドを受信する。加えて、輸送体２１０上のホステッドコマンド受信器２４５が、暗号化ホステッドコマンドを受信する。
【００４３】
［００５０］ホストコマンド受信器２３５は次いで、暗号化ホストコマンドを第１通信セキュリティモジュール２６２に送信する２５２。第１通信セキュリティモジュール２６２は、第１ＣＯＭＳＥＣバラエティ（すなわちＣＯＭＳＥＣバラエティ１）を利用して暗号化ホストコマンドを復号し、非暗号化ホストコマンドを生成する。
【００４４】
［００５１］第１通信セキュリティモジュール２６２は一又は複数のモジュールを含みうることに留意すべきである。加えて、第１通信セキュリティモジュール２６２は一又は複数のプロセッサを含みうる。
【００４５】
［００５２］ホステッドコマンド受信器２４５は次いで、暗号化ホステッドコマンドを第２通信セキュリティモジュール２６５に送信する２５５。第２通信セキュリティモジュール２６５は、第２ＣＯＭＳＥＣバラエティ（すなわちＣＯＭＳＥＣバラエティ２）を利用して暗号化ホステッドコマンドを復号し、非暗号化ホステッドコマンドを生成する。
【００４６】
［００５３］第２通信セキュリティモジュール２６５は一又は複数のモジュールを含みうることに留意すべきである。加えて、第２通信セキュリティモジュール２６５は一又は複数のプロセッサを含みうる。
【００４７】
［００５４］第１通信セキュリティモジュール２６２は次いで、非暗号化ホストコマンドをホストペイロード２０６に送信する２７０。第２通信セキュリティモジュール２６５は、非暗号化ホステッドコマンドをホステッドペイロード２０５に送信する２７５。ホストペイロード２０６は非暗号化ホストコマンドに従って再設定され、ホステッドペイロード２０５は非暗号化ホステッドコマンドに従って再設定される。ホストペイロードアンテナ２０７が次いで、（例えば一又は複数のアンテナビーム２０８として）ホストペイロードデータを地上のホスト受信アンテナ２８５に送信する。ホステッドペイロードアンテナ２８０は次いで、（例えば一又は複数のアンテナビーム２８１及び／又は２０８として）ホステッドペイロードデータを、地上のホステッド受信アンテナ２９０及び／又はホスト受信アンテナ２８５に送信する。
【００４８】
［００５５］図２には、複数の円形スポットビームを含むアンテナビーム２０８、２８１を示しているが、他の実施形態では、アンテナビーム２０８、２８１は図２に示しているよりも多い又は少ない数のビームを含みうる（例えば、アンテナビーム２０８、２８１は単一のビームだけを含みうる）こと、及びアンテナビーム２０８、２８１は図２に示している円形スポットビームとは異なる形状のビームを含みうる（例えば、アンテナビーム２０８、２８１は楕円形のビーム及び／又は様々な異なる形状の成形ビームを含みうる）ことにも、留意すべきである。
【００４９】
［００５６］一又は複数の実施形態では、ホストペイロードアンテナ２０７及びホステッドペイロードアンテナ２８０は、パラボラリフレクタ及び／又は成形リフレクタを含むがこれらに限定されるわけではない一又は複数のリフレクタディッシュを含みうることに、留意すべきである。一部の実施形態では、ホストペイロードアンテナ２０７及びホステッドペイロードアンテナ２８０は、一又は複数のマルチフィードアンテナアレイを含みうる。
【００５０】
［００５７］ホストペイロード２０６は、非暗号化ホストテレメトリ（すなわち、ホストＳＯＣ２５０によって利用されるペイロード２０６に関連するテレメトリデータである、非暗号化ホストＴＬＭ）を、第１通信セキュリティモジュール２６２に送信する２０９。ホステッドペイロード２０５は、非暗号化ホステッドテレメトリ（すなわち、ＨＯＣ２６０によって利用されるペイロード２０５に関連するテレメトリデータである、非暗号化ＨｏＰ  ＴＬＭ）を第１通信セキュリティモジュール２６２に送信する２９１。第１通信セキュリティモジュール２６２は次いで、第１ＣＯＭＳＥＣバラエティを利用して非暗号化ホストテレメトリ及び非暗号化ホステッドテレメトリを暗号化し、暗号化テレメトリ（すなわち、暗号化ホストテレメトリ及び暗号化ホステッドテレメトリである、暗号化ＴＬＭ）を生成する。
【００５１】
［００５８］第１通信セキュリティモジュール２６２は次いで、暗号化テレメトリをテレメトリ送信器２９４に送信する２９３。テレメトリ送信器２９４は次いで、暗号化テレメトリをホストＳＯＣ２５０に送信する２９５。テレメトリ送信器２９４は、帯域外周波数帯（複数可）を利用して暗号化テレメトリを送信する２９５。ホストＳＯＣ２５０は次いで、第１ＣＯＭＳＥＣバラエティを利用して暗号化テレメトリを復号し、非暗号化テレメトリを生成する。ホストＳＯＣ２５０は次いで、ホストペイロード逆変換情報を含むが、ホステッドペイロード逆変換情報は含まないデータベース（すなわち、ホステッドペイロード逆変換情報を有さないデータベース）を利用して、非暗号化テレメトリを読み取り、ペイロード２０５のホストＳＯＣ２５０によって利用される部分に関連するテレメトリデータを特定する。
【００５２】
［００５９］ホストＳＯＣ２５０は次いで、暗号化テレメトリをＨＯＣ２６０に送信する２９９。ＨＯＣ２６０は次いで、第１ＣＯＭＳＥＣバラエティを利用して暗号化テレメトリを復号し、非暗号化テレメトリを生成する。ＨＯＣ２６０は次いで、ホステッドペイロード逆変換情報を含むが、ホストペイロード逆変換情報は含まないデータベース（すなわち、ホストペイロード逆変換情報を有さないデータベース）を利用して、非暗号化テレメトリを読み取り、ペイロード２０５のＨＯＣ２６０によって利用される部分に関連するテレメトリデータを特定する。
【００５３】
［００６０］図３Ａ、３Ｂ、及び３Ｃは集合的に、本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリとホステッドテレメトリが両方とも第１ＣＯＭＳＥＣバラエティを使用して暗号化される、ホステッドペイロードオペレーションのための開示している方法のフロー図を示している。この方法の開始３００に際して、ホステッドペイロード（ＨｏＰ）オペレーションセンター（ＨＯＣ）は、第２ＣＯＭＳＥＣバラエティを利用することにより非暗号化ホステッドコマンドを暗号化して、暗号化ホステッドコマンドを作成する３０５。次いで、ＨＯＣは、暗号化ホステッドコマンドをホスト宇宙船オペレーションセンター（ＳＯＣ）に送信する３１０。ホストＳＯＣは、第１ＣＯＭＳＥＣバラエティを利用することにより非暗号化ホストコマンドを暗号化して、暗号化ホストコマンドを作成する３１５。次いで、ホストＳＯＣは、暗号化ホストコマンド及び暗号化ホステッドコマンドを輸送体に（帯域外で）送信する３２０。
【００５４】
［００６１］次いで、輸送体上のホストコマンド受信器が暗号化ホストコマンドを受信する３２５。更に、輸送体上のホステッドコマンド受信器が、暗号化ホステッドコマンドを受信する３３０。ホストコマンド受信器は、暗号化ホストコマンドを第１通信セキュリティモジュールに送信する３３５。ホステッドコマンド受信器は、暗号化ホステッドコマンドを第２通信セキュリティモジュールに送信する３４０。第１通信セキュリティモジュールは次いで、第１ＣＯＭＳＥＣバラエティを利用して暗号化ホストコマンドを復号し、非暗号化ホストコマンドを生成する３４５。第２通信セキュリティモジュールは次いで、第２ＣＯＭＳＥＣバラエティを利用して暗号化ホステッドコマンドを復号し、非暗号化ホステッドコマンドを生成する３５０。
【００５５】
［００６２］第１通信セキュリティモジュールは次いで、非暗号化ホストコマンドをホストペイロードに送信する３５５。第２通信セキュリティモジュールは次いで、非暗号化ホステッドコマンドをホステッドペイロードに送信する３６０。次いで、ホストペイロードは非暗号化ホストコマンドに従って再設定され、ホステッドペイロードは非暗号化ホステッドコマンドに従って再設定される３６５。輸送体上のホストペイロードアンテナが次いで、ホストペイロードデータをホスト受信アンテナに送信し、輸送体上のホステッドペイロードアンテナが次いで、ホステッドペイロードデータをホステッド受信アンテナ及び／又はホスト受信アンテナに送信する３７０。
【００５６】
［００６３］次いで、ホストペイロードは第１通信セキュリティモジュールに非暗号化ホストテレメトリを送信し、ホステッドペイロードは第１通信セキュリティモジュールに非暗号化ホステッドテレメトリを送信する３７５。次いで、第１通信セキュリティモジュールは、第１ＣＯＭＳＥＣバラエティを利用して非暗号化ホストテレメトリ及び非暗号化ホステッドテレメトリを暗号化し、暗号化ホストテレメトリ及び暗号化ホステッドテレメトリを生成する３８０。第１通信セキュリティモジュールは次いで、暗号化ホストテレメトリ及び暗号化ホステッドテレメトリをテレメトリ送信器に送信する３８５。次いで、テレメトリ送信器は、暗号化ホストテレメトリ及び暗号化ホステッドテレメトリをホストＳＯＣに送信する３９０。ホストＳＯＣは次いで、第１ＣＯＭＳＥＣバラエティを利用して暗号化ホストテレメトリを復号し、非暗号化ホストテレメトリを生成する３９５。
【００５７】
［００６４］ホストＳＯＣは、暗号化ホステッドテレメトリをＨＯＣに送信する３９６。次いで、ＨＯＣは、第１ＣＯＭＳＥＣバラエティを利用して暗号化ホステッドテレメトリを復号し、非暗号化ホステッドテレメトリを生成する３９７。次いで方法は終了する３９８。
【００５８】
［００６５］図４は、本開示の少なくとも１つの実施形態による、ホストユーザ（すなわちホストＳＯＣ）４５０が（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示しているシステムを示す図４００である。この図には、輸送体４１０と、ホストＳＯＣ４５０と、ＨＯＣ４６０とが図示されている。
【００５９】
［００６６］オペレーションにおいて、ＨＯＣ４６０は、第２ＣＯＭＳＥＣバラエティを利用することにより非暗号化ホステッドコマンド（すなわち非暗号化ＨｏＰ  ＣＭＤ）を暗号化して、暗号化ホステッドコマンド（すなわち暗号化ＨｏＰ  ＣＭＤ）を作成する。ホステッドコマンドは、ＨＯＣ４６０によって利用されるホステッドペイロード４０５を設定するために使用されるコマンドである。ホストＳＯＣ４５０は、第１ＣＯＭＳＥＣバラエティを利用することにより非暗号化ホストコマンド（すなわち非暗号化ホストＣＭＤ）を暗号化して、暗号化ホストコマンド（すなわち、暗号化ホストＣＭＤ）を作成する。ホストコマンドは、ホストＳＯＣ４５０によって利用されるホストペイロード４０６を設定するために使用されるコマンドである。
【００６０】
［００６７］図４では、ホストＳＯＣ４５０の地上アンテナがそのオペレーションビルディングの直ぐ隣に置かれているように描かれているが、他の実施形態では、ホストＳＯＣ４５０の地上アンテナはそのオペレーションビルディングから遠く離れて配置されることがある（例えば、地上アンテナはオペレーションビルディングとは別の国に置かれることもある）ことに留意すべきである。
【００６１】
［００６８］第１ＣＯＭＳＥＣバラエティが、少なくとも１つの暗号化キー及び／又は少なくとも１つのアルゴリズム（例えばタイプ１の暗号化アルゴリズム又はタイプ２の暗号化アルゴリズム）を含みうることにも、留意すべきである。更に、第２ＣＯＭＳＥＣバラエティが、少なくとも１つの暗号化キー及び／又は少なくとも１つの暗号化アルゴリズム（例えばタイプ１の暗号化アルゴリズム又はタイプ２の暗号化アルゴリズム）を含みうることに、留意すべきである。
【００６２】
［００６９］ＨＯＣ４６０は次いで、暗号化ホステッドコマンドをホストＳＯＣ４５０に送信する４１５。ホストＳＯＣ４５０は、暗号化ホステッドコマンドを受信した後に、輸送体４１０に、暗号化ホストコマンドを送信し４２０、かつ暗号化ホステッドコマンドを送信する４２５。ホストＳＯＣ４５０は、帯域外周波数帯（複数可）（すなわち、ペイロードデータを送信するために利用される周波数帯（複数可）と同じではない周波数帯（複数可））を利用して、暗号化ホストコマンド及び暗号化ホストテッドコマンドを送信する４２０、４２５。輸送体４１０上のホストコマンド受信器４３５が、暗号化ホストコマンドを受信する。加えて、輸送体４１０上のホステッドコマンド受信器４４５が、暗号化ホステッドコマンドを受信する。
【００６３】
［００７０］ホストコマンド受信器４３５は次いで、暗号化ホストコマンドを第１通信セキュリティモジュール４６２に送信する４５２。第１通信セキュリティモジュール４６２は、第１ＣＯＭＳＥＣバラエティ（すなわちＣＯＭＳＥＣバラエティ１）を利用して暗号化ホストコマンドを復号し、非暗号化ホストコマンドを生成する。
【００６４】
［００７１］第１通信セキュリティモジュール４６２は一又は複数のモジュールを含みうることに留意すべきである。加えて、第１通信セキュリティモジュール４６２は一又は複数のプロセッサを含みうる。
【００６５】
［００７２］ホステッドコマンド受信器４４５は次いで、暗号化ホステッドコマンドを第２通信セキュリティモジュール４６５に送信する４５５。第２通信セキュリティモジュール４６５は、第２ＣＯＭＳＥＣバラエティ（すなわちＣＯＭＳＥＣバラエティ２）を利用して暗号化ホステッドコマンドを復号し、非暗号化ホステッドコマンドを生成する。
【００６６】
［００７３］第２通信セキュリティモジュール４６５は一又は複数のモジュールを含みうることに留意すべきである。加えて、第２通信セキュリティモジュール４６５は一又は複数のプロセッサを含みうる。
【００６７】
［００７４］第１通信セキュリティモジュール４６２は次いで、非暗号化ホストコマンドをホストペイロード４０６に送信する４７０。第２通信セキュリティモジュール４６５は、非暗号化ホステッドコマンドをホステッドペイロード４０５に送信する４７５。ホストペイロード４０６は非暗号化ホストコマンドに従って再設定され、ホステッドペイロード４０５は非暗号化ホステッドコマンドに従って再設定される。ホストペイロードアンテナ４０７が次いで、（例えば一又は複数のアンテナビーム４０８として）ホストペイロードデータを地上のホスト受信アンテナ４８５に送信する。ホステッドペイロードアンテナ４８０は次いで、（例えば、一又は複数のアンテナビーム４８１及び／又は４０８として）ホステッドペイロードデータを、地上のホステッド受信アンテナ４９０及び／又はホスト受信アンテナ４８５に送信する。
【００６８】
［００７５］図４には、複数の円形スポットビームを含むアンテナビーム４０８、４８１を示しているが、他の実施形態では、アンテナビーム４０８、４８１は、図４に示しているよりも多い又は少ない数のビームを含みうる（例えば、アンテナビーム４０８、４８１は単一のビームだけを含みうる）こと、及び、図４に示している円形スポットビームとは異なる形状のビームを含みうる（例えば、アンテナビーム４０８、４８１は楕円形のビーム及び／又は様々な異なる形状の成形ビームを含みうる）ことにも、留意すべきである。
【００６９】
［００７６］一又は複数の実施形態では、ホストペイロードアンテナ４０７及びホステッドペイロードアンテナ４８０は、パラボラリフレクタ及び／又は成形リフレクタを含むがこれらに限定されるわけではない、一又は複数のリフレクタディッシュを含みうることに留意すべきである。一部の実施形態では、ホストペイロードアンテナ４０７及びホステッドペイロードアンテナ４８０は、一又は複数のマルチフィードアンテナアレイを含みうる。
【００７０】
［００７７］ホストペイロード４０６は、非暗号化ホストテレメトリ（すなわち、ホストＳＯＣ４５０によって利用されるホストペイロード４０６に関連するテレメトリデータである、非暗号化ホストＴＬＭ）を、第１通信セキュリティモジュール４６２に送信する４９１。第１通信セキュリティモジュール４６２は次いで、第１ＣＯＭＳＥＣバラエティを利用して非暗号化ホストテレメトリを暗号化し、暗号化ホストテレメトリ（すなわち暗号化ホストＴＬＭ）を生成する。
【００７１】
［００７８］ホステッドペイロード４０５は、非暗号化ホステッドテレメトリ（すなわち、ＨＯＣ４６０によって利用されるペイロード４０５に関連するテレメトリデータである、非暗号化ＨｏＰ  ＴＬＭ）を第２通信セキュリティモジュール４６５に送信する４９２。第２通信セキュリティモジュール４６５は次いで、第２ＣＯＭＳＥＣバラエティを利用して非暗号化ホステッドテレメトリを暗号化し、暗号化ホステッドテレメトリ（すなわち暗号化ＨｏＰ  ＴＬＭ）を生成する。
【００７２】
［００７９］第１通信セキュリティモジュール４６２は次いで、暗号化ホストテレメトリをホストテレメトリ送信器４９４に送信する４９３。ホストテレメトリ送信器４９４は次いで、暗号化ホストテレメトリをホストＳＯＣ４５０に送信する４９５。テレメトリ送信器４９４は、帯域外周波数帯（複数可）を利用して暗号化ホストテレメトリを送信する４９５。ホストＳＯＣ４５０は次いで、第１ＣＯＭＳＥＣバラエティを利用して暗号化ホストテレメトリを復号し、非暗号化ホストテレメトリを生成する。
【００７３】
［００８０］第２通信セキュリティモジュール４６５は次いで、暗号化ホステッドテレメトリをホステッドテレメトリ送信器４９８に送信する４９６。ホステッドテレメトリ送信器４９８は次いで、暗号化ホステッドテレメトリをホストＳＯＣ４５０に送信する４９７。テレメトリ送信器４９８は、帯域外周波数帯（複数可）を利用して暗号化ホステッドテレメトリを送信する４９７。ホストＳＯＣ４５０は次いで、暗号化ホステッドテレメトリをＨＯＣ４６０に送信する４９９。ＨＯＣ４６０は次いで、第２ＣＯＭＳＥＣバラエティを利用して暗号化ホステッドテレメトリを復号し、非暗号化ホステッドテレメトリを生成する。
【００７４】
［００８１］図５Ａ、５Ｂ、５Ｃ、及び５Ｄは集合的に、本開示の少なくとも１つの実施形態による、ホストユーザが（第１ＣＯＭＳＥＣバラエティを利用して暗号化された）暗号化ホストコマンド及び（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示している。この方法の開始５００に際して、ホステッドペイロード（ＨｏＰ）オペレーションセンター（ＨＯＣ）は、第２ＣＯＭＳＥＣバラエティを利用することにより非暗号化ホステッドコマンドを暗号化して、暗号化ホステッドコマンドを作成する５０５。次いで、ＨＯＣは、暗号化ホステッドコマンドをホスト宇宙船オペレーションセンター（ＳＯＣ）に送信する５１０。ホストＳＯＣは、第１ＣＯＭＳＥＣバラエティを利用することにより非暗号化ホストコマンドを暗号化して、暗号化ホストコマンドを作成する５１５。次いで、ホストＳＯＣは、暗号化ホストコマンド及び暗号化ホステッドコマンドを輸送体に（帯域外で）送信する５２０。
【００７５】
［００８２］次いで、輸送体上のホストコマンド受信器が暗号化ホストコマンドを受信する５２５。更に、輸送体上のホステッドコマンド受信器が、暗号化ホステッドコマンドを受信する５３０。ホストコマンド受信器は、暗号化ホストコマンドを第１通信セキュリティモジュールに送信する５３５。ホステッドコマンド受信器は、暗号化ホステッドコマンドを第２通信セキュリティモジュールに送信する５４０。第１通信セキュリティモジュールは次いで、第１ＣＯＭＳＥＣバラエティを利用して暗号化ホストコマンドを復号し、非暗号化ホストコマンドを生成する５４５。第２通信セキュリティモジュールは次いで、第２ＣＯＭＳＥＣバラエティを利用して暗号化ホステッドコマンドを復号し、非暗号化ホステッドコマンドを生成する５５０。
【００７６】
［００８３］第１通信セキュリティモジュールは次いで、非暗号化ホストコマンドをホストペイロードに送信する５５５。第２通信セキュリティモジュールは次いで、非暗号化ホステッドコマンドをホステッドペイロードに送信する５６０。次いで、ホストペイロードは非暗号化ホストコマンドに従って再設定され、ホステッドペイロードは非暗号化ホステッドコマンドに従って再設定される５６５。輸送体上のホストペイロードアンテナが次いで、ホストペイロードデータをホスト受信アンテナに送信し、輸送体上のホステッドペイロードアンテナが次いで、ホステッドペイロードデータをホステッド受信アンテナ及び／又はホスト受信アンテナに送信する５７０。
【００７７】
［００８４］次いで、ホストペイロードは、第１通信セキュリティモジュールに非暗号化ホストテレメトリを送信する５７５。第１通信セキュリティモジュールは次いで、第１ＣＯＭＳＥＣバラエティを利用して非暗号化ホストテレメトリを暗号化し、暗号化ホストテレメトリを生成する５８０。次いで、第１通信セキュリティモジュールは、暗号化ホストテレメトリをホストテレメトリ送信器に送信する５８５。ホストテレメトリ送信器は次いで、暗号化ホストテレメトリをホストＳＯＣに送信する５９０。次いで、ホストＳＯＣは、第１ＣＯＭＳＥＣバラエティを利用して暗号化ホストテレメトリを復号し、非暗号化ホストテレメトリを生成する５９１。
【００７８】
［００８５］ホステッドペイロードは、第２通信セキュリティモジュールに非暗号化ホステッドテレメトリを送信する５９２。次いで、第２通信セキュリティモジュールは、第２ＣＯＭＳＥＣバラエティを利用して非暗号化ホステッドテレメトリを暗号化し、暗号化ホステッドテレメトリを生成する５９３。第２通信セキュリティモジュールは次いで、暗号化ホステッドテレメトリをホステッドテレメトリ送信器に送信する５９４。次いで、ホステッドテレメトリ送信器は、暗号化ホステッドテレメトリをホストＳＯＣに送信する５９５。ホストＳＯＣは次いで、暗号化ホステッドテレメトリをＨＯＣに送信する５９６。次いで、ＨＯＣは、第２ＣＯＭＳＥＣバラエティを利用して暗号化ホステッドテレメトリを復号し、非暗号化ホステッドテレメトリを生成する５９７。次いで方法は終了する５９８。
【００７９】
［００８６］図６は、本開示の少なくとも１つの実施形態による、ホストユーザ（すなわちホストＳＯＣ）６５０が（第１ＣＯＭＳＥＣバラエティを利用して暗号化された）暗号化ホストコマンドを輸送体に送信し、ホステッドユーザ（すなわちＨＯＣ）６６０が（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示しているシステムを示す図６００である。この図には、輸送体６１０と、ホストＳＯＣ６５０と、ＨＯＣ６６０とが図示されている。
【００８０】
［００８７］オペレーションにおいて、ＨＯＣ６６０は、第２ＣＯＭＳＥＣバラエティを利用することにより非暗号化ホステッドコマンド（すなわち非暗号化ＨｏＰ  ＣＭＤ）を暗号化して、暗号化ホステッドコマンド（すなわち暗号化ＨｏＰ  ＣＭＤ）を作成する。ホステッドコマンドは、ＨＯＣ６６０によって利用されるホステッドペイロード６０５を設定するために使用されるコマンドである。ホストＳＯＣ６５０は、第１ＣＯＭＳＥＣバラエティを利用することにより非暗号化ホストコマンド（すなわち非暗号化ホストＣＭＤ）を暗号化して、暗号化ホストコマンド（すなわち暗号化ホストＣＭＤ）を作成する。ホストコマンドは、ホストＳＯＣ６５０によって利用されるホストペイロード６０６を設定するために使用されるコマンドである。
【００８１】
［００８８］図６では、ホストＳＯＣ６５０の地上アンテナがそのオペレーションビルディングの直ぐ隣に置かれているように描かれているが、他の実施形態では、ホストＳＯＣ６５０の地上アンテナはそのオペレーションビルディングから遠く離れて配置されることがある（例えば、地上アンテナはオペレーションビルディングとは別の国に置かれることもある）ことに留意すべきである。
【００８２】
［００８９］第１ＣＯＭＳＥＣバラエティが、少なくとも１つの暗号化キー及び／又は少なくとも１つのアルゴリズム（例えばタイプ１の暗号化アルゴリズム又はタイプ２の暗号化アルゴリズム）を含みうることにも、留意すべきである。更に、第２ＣＯＭＳＥＣバラエティが、少なくとも１つの暗号化キー及び／又は少なくとも１つの暗号化アルゴリズム（例えばタイプ１の暗号化アルゴリズム又はタイプ２の暗号化アルゴリズム）を含みうることに、留意すべきである。
【００８３】
［００９０］ホストＳＯＣ６５０は、暗号化ホストコマンドを輸送体６１０に送信する６２０。ホストＳＯＣ６５０は、帯域外周波数帯（複数可）（すなわち、ペイロードデータを送信するために利用される周波数帯（複数可）と同じではない周波数帯（複数可））を利用して、暗号化ホストコマンドを送信する６２０。
【００８４】
［００９１］ＨＯＣ６６０は、暗号化ホステッドコマンドを輸送体６１０に送信する６２５。ＨＯＣ６６０は、帯域外周波数帯（複数可）を利用して暗号化ホステッドコマンドを送信する６２５。
【００８５】
［００９２］輸送体６１０上のホストコマンド受信器６３５が、暗号化ホストコマンドを受信する。加えて、輸送体６１０上のホステッドコマンド受信器６４５が、暗号化ホステッドコマンドを受信する。
【００８６】
［００９３］ホストコマンド受信器６３５は次いで、暗号化ホストコマンドを第１通信セキュリティモジュール６６２に送信する６５２。第１通信セキュリティモジュール６６２は、第１ＣＯＭＳＥＣバラエティ（すなわちＣＯＭＳＥＣバラエティ１）を利用して暗号化ホストコマンドを復号し、非暗号化ホストコマンドを生成する。
【００８７】
［００９４］第１通信セキュリティモジュール６６２は一又は複数のモジュールを含みうることに留意すべきである。加えて、第１通信セキュリティモジュール６６２は一又は複数のプロセッサを含みうる。
【００８８】
［００９５］ホステッドコマンド受信器６４５は次いで、暗号化ホステッドコマンドを第２通信セキュリティモジュール６６５に送信する６５５。第２通信セキュリティモジュール６６５は、第２ＣＯＭＳＥＣバラエティ（すなわちＣＯＭＳＥＣバラエティ２）を利用して暗号化ホステッドコマンドを復号し、非暗号化ホステッドコマンドを生成する。
【００８９】
［００９６］第２通信セキュリティモジュール６６５は一又は複数のモジュールを含みうることに留意すべきである。加えて、第２通信セキュリティモジュール６６５は一又は複数のプロセッサを含みうる。
【００９０】
［００９７］第１通信セキュリティモジュール６６２は次いで、非暗号化ホストコマンドをホストペイロード６０６に送信する６７０。第２通信セキュリティモジュール６６５は、非暗号化ホステッドコマンドをホステッドペイロード６０５に送信する６７５。ホストペイロード６０６は非暗号化ホストコマンドに従って再設定され、ホステッドペイロード６０５は非暗号化ホステッドコマンドに従って再設定される。ホストペイロードアンテナ６０７が次いで、（例えば一又は複数のアンテナビーム６０８として）ホストペイロードデータを地上のホスト受信アンテナ６８５に送信する。ホステッドペイロードアンテナ６８０が次いで、（例えば、一又は複数のアンテナビーム６８１及び／又は６０８として）ホステッドペイロードデータを、地上のホステッド受信アンテナ６９０及び／又はホスト受信アンテナ６８５に送信する。
【００９１】
［００９８］図６には、複数の円形スポットビームを含むアンテナビーム６０８、６８１を示しているが、他の実施形態では、アンテナビーム６０８、６８１は、図６に示しているよりも多い又は少ない数のビームを含みうる（例えば、アンテナビーム６０８、６８１は単一のビームだけを含みうる）こと、及び、図６に示している円形スポットビームとは異なる形状のビームを含みうる（例えば、アンテナビーム６０８、６８１は楕円形のビーム及び／又は様々な異なる形状の成形ビームを含みうる）ことにも、留意すべきである。
【００９２】
［００９９］一又は複数の実施形態では、ホストペイロードアンテナ６０７及びホステッドペイロードアンテナ６８０は、パラボラリフレクタ及び／又は成形リフレクタを含むがこれらに限定されるわけではない、一又は複数のリフレクタディッシュを含みうることに留意すべきである。一部の実施形態では、ホストペイロードアンテナ６０７及びホステッドペイロードアンテナ６８０は、一又は複数のマルチフィードアンテナアレイを含みうる。
【００９３】
［００１００］ホストペイロード６０６は、非暗号化ホストテレメトリ（すなわち、ホストＳＯＣ６５０によって利用されるペイロード６０６に関連するテレメトリデータである、非暗号化ホストＴＬＭ）を、第１通信セキュリティモジュール６６２に送信する６９１。第１通信セキュリティモジュール６６２は次いで、第１ＣＯＭＳＥＣバラエティを利用して非暗号化ホストテレメトリを暗号化し、暗号化ホストテレメトリ（すなわち暗号化ホストＴＬＭ）を生成する。
【００９４】
［００１０１］ホステッドペイロード６０５は、非暗号化ホステッドテレメトリ（すなわち、ＨＯＣ６６０によって利用されるペイロード６０５に関連するテレメトリデータである、非暗号化ＨｏＰ  ＴＬＭ）を第２通信セキュリティモジュール６６５に送信する６９２。第２通信セキュリティモジュール６６５は次いで、第２ＣＯＭＳＥＣバラエティを利用して非暗号化ホステッドテレメトリを暗号化し、暗号化ホステッドテレメトリ（すなわち暗号化ＨｏＰ  ＴＬＭ）を生成する。
【００９５】
［００１０２］第１通信セキュリティモジュール６６２は次いで、暗号化ホストテレメトリをホストテレメトリ送信器６９４に送信する６９３。ホストテレメトリ送信器６９４は次いで、暗号化ホストテレメトリをホストＳＯＣ６５０に送信する６９５。テレメトリ送信器６９４は、帯域外周波数帯（複数可）を利用して暗号化ホストテレメトリを送信する６９５。ホストＳＯＣ６５０は次いで、第１ＣＯＭＳＥＣバラエティを利用して暗号化ホストテレメトリを復号し、非暗号化ホストテレメトリを生成する。
【００９６】
［００１０３］第２通信セキュリティモジュール６６５は次いで、暗号化ホステッドテレメトリをホステッドテレメトリ送信器６９８に送信する６９６。ホステッドテレメトリ送信器６９８は、次いで、暗号化ホステッドテレメトリをＨＯＣ６６０に送信６９７する。テレメトリ送信器６９８は、帯域外周波数帯（複数可）を利用して暗号化ホステッドテレメトリを送信する６９７。ＨＯＣ６６０は次いで、第２ＣＯＭＳＥＣバラエティを利用して暗号化ホステッドテレメトリを復号し、非暗号化ホステッドテレメトリを生成する。
【００９７】
［００１０４］図７Ａ、７Ｂ、及び７Ｃは集合的に、本開示の少なくとも１つの実施形態による、ホストユーザが（第１ＣＯＭＳＥＣバラエティを利用して暗号化された）暗号化ホストコマンドを輸送体に送信し、ホステッドユーザが（第２ＣＯＭＳＥＣバラエティを利用して暗号化された）暗号化ホステッドコマンドを輸送体に送信し、かつホストテレメトリが第１ＣＯＭＳＥＣバラエティを使用して暗号化され、ホステッドテレメトリが第２ＣＯＭＳＥＣバラエティを使用して暗号化される、ホステッドペイロードオペレーションのための開示している方法のフロー図を示している。この方法の開始７００に際して、ホステッドペイロード（ＨｏＰ）オペレーションセンター（ＨＯＣ）は、第２ＣＯＭＳＥＣバラエティを利用することにより非暗号化ホステッドコマンドを暗号化して、暗号化ホステッドコマンドを作成する７０５。次いで、ＨＯＣは、暗号化ホステッドコマンドを輸送体に（帯域外で）送信する７１０。ホスト宇宙船オペレーションセンター（ＳＯＣ）が、第１ＣＯＭＳＥＣバラエティを利用することにより非暗号化ホストコマンドを暗号化して、暗号化ホストコマンドを作成する７１５。次いで、ホストＳＯＣは、暗号化ホストコマンドを輸送体に（帯域外で）送信する７２０。
【００９８】
［００１０５］次いで、輸送体上のホストコマンド受信器が暗号化ホストコマンドを受信する７２５。更に、輸送体上のホステッドコマンド受信器が、暗号化ホステッドコマンドを受信する７３０。ホストコマンド受信器は、暗号化ホストコマンドを第１通信セキュリティモジュールに送信する７３５。ホステッドコマンド受信器は、暗号化ホステッドコマンドを第２通信セキュリティモジュールに送信する７４０。第１通信セキュリティモジュールは次いで、第１ＣＯＭＳＥＣバラエティを利用して暗号化ホストコマンドを復号し、非暗号化ホストコマンドを生成する７４５。第２通信セキュリティモジュールは次いで、第２ＣＯＭＳＥＣバラエティを利用して暗号化ホステッドコマンドを復号し、非暗号化ホステッドコマンドを生成する７５０。
【００９９】
［００１０６］第１通信セキュリティモジュールは次いで、非暗号化ホストコマンドをホストペイロードに送信する７５５。第２通信セキュリティモジュールは次いで、非暗号化ホステッドコマンドをホステッドペイロードに送信する７６０。次いで、ホストペイロードは非暗号化ホストコマンドに従って再設定され、ホステッドペイロードは非暗号化ホステッドコマンドに従って再設定される７６５。輸送体上のホストペイロードアンテナが次いで、ホストペイロードデータをホスト受信アンテナに送信し、輸送体上のホステッドペイロードアンテナが次いで、ホステッドペイロードデータをホステッド受信アンテナ及び／又はホスト受信アンテナに送信する７７０。
【０１００】
［００１０７］次いで、ホストペイロードは、第１通信セキュリティモジュールに非暗号化ホストテレメトリを送信する７７５。次いで、第１通信セキュリティモジュールは、第１ＣＯＭＳＥＣバラエティを利用して非暗号化ホストテレメトリを暗号化し、暗号化ホストテレメトリを生成する７８０。第１通信セキュリティモジュールは次いで、暗号化ホストテレメトリをホストテレメトリ送信器に送信する７８５。次いで、ホストテレメトリ送信器は、暗号化ホストテレメトリをホストＳＯＣに送信する７９０。次いで、ホストＳＯＣは、第１ＣＯＭＳＥＣバラエティを利用して暗号化ホストテレメトリを復号し、非暗号化ホストテレメトリを生成する７９１。
【０１０１】
［００１０８］ホステッドペイロードは、第２通信セキュリティモジュールに非暗号化ホステッドテレメトリを送信する７９２。次いで、第２通信セキュリティモジュールは、第２ＣＯＭＳＥＣバラエティを利用して非暗号化ホステッドテレメトリを暗号化し、暗号化ホステッドテレメトリを生成する７９３。第２通信セキュリティモジュールは次いで、暗号化ホステッドテレメトリをホステッドテレメトリ送信器に送信する７９４。次いで、ホステッドテレメトリ送信器は、暗号化ホステッドテレメトリをＨＯＣに送信する７９５。ＨＯＣは次いで、第２ＣＯＭＳＥＣバラエティを利用して暗号化ホステッドテレメトリを復号し、非暗号化ホステッドテレメトリを生成する７９６。次いで方法は終了する７９７。
【０１０２】
［００１０９］特定の実施形態について図示し、説明してきたが、上記の記載はこれらの実施形態の範囲を限定することを意図するものではないことが、理解されるはずである。本書では、本開示の多数の態様の実施形態及び変形例について開示し、説明しているが、かかる開示は、解説及び例示のみを目的として提供されている。ゆえに、特許請求の範囲から逸脱することなく、様々な変更及び改変が行われうる。
【０１０３】
［００１１０］上述の方法が、ある種のイベントがある種の順序で発生することを示している場合、この開示から受益する当業者には、この順序は改変されてよく、かかる改変は、本開示の変形例に従うものであることが認識されよう。更に、方法は部分的に、可能であれば並行プロセスにおいて同時に実施されうるというだけでなく、連続的に実施されてもよい。加えて、方法のうちの多くの部分又は少ない部分が実施されることもある。
【０１０４】
［００１１１］したがって、実施形態は、特許請求の範囲内に含まれうる代替例、改変例、及び等価物を例示するためのものである。
【０１０５】
［００１１２］本書では、ある種の例示的な実施形態及び方法を開示してきたが、前述の開示から、開示している技術分野の本質及び範囲から逸脱することなく、かかる実施形態及び方法の変形及び改変がなされうることが、当業者には自明となりうる。開示している技術分野には他の多くの例が存在しており、各例はその詳細事項においてのみそれ以外の例と相違する。したがって、開示されている技術は、付随する特許請求の範囲並びに適用法の規則及び原理によって必要とされる範囲にのみ、制限されることが意図されている。
【図１】
2021530883.tif 000003
【図２】
2021530883.tif 000004
【図３Ａ】
2021530883.tif 000005
【図３Ｂ】
2021530883.tif 000006
【図３Ｃ】
2021530883.tif 000007
【図４】
2021530883.tif 000008
【図５Ａ】
2021530883.tif 000009
【図５Ｂ】
2021530883.tif 000010
【図５Ｃ】
2021530883.tif 000011
【図５Ｄ】
2021530883.tif 000012
【図６】
2021530883.tif 000013
【図７Ａ】
2021530883.tif 000014
【図７Ｂ】
2021530883.tif 000015
【図７Ｃ】
2021530883.tif 000016
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ホステッドペイロードオペレーションのための方法であって、
ホステッドペイロード（ＨｏＰ）オペレーションセンター（ＨＯＣ）によって、暗号化ホステッドコマンドを輸送体に送信することであって、ａ）前記ＨＯＣから前記輸送体に送信するか、またはｂ）前記ＨＯＣからホスト宇宙船オペレーションセンター（ＳＯＣ）に、その後前記輸送体に送信するか、の少なくとも一方によって、輸送体に送信することと、
前記ホストＳＯＣによって、暗号化ホストコマンド及び前記暗号化ホステッドコマンドを輸送体に送信することであって、前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、輸送体に送信することと、
前記輸送体上の第１通信セキュリティモジュールによって、前記第１ＣＯＭＳＥＣバラエティを利用して前記暗号化ホストコマンドを復号し、非暗号化ホストコマンドを生成することと、
前記輸送体上の第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従って前記輸送体上のホストペイロードを再設定することと、
前記非暗号化ホステッドコマンドに従って前記輸送体上のホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記ホストペイロードからの非暗号化ホストテレメトリ及び前記ホステッドペイロードからの非暗号化ホステッドテレメトリを暗号化し、暗号化ホストテレメトリ及び暗号化ホステッドテレメトリを生成することと、
前記輸送体上のテレメトリ送信器によって、前記暗号化ホストテレメトリを前記ホストＳＯＣに送信し、且つ前記暗号化ホステッドテレメトリを前記ＨＯＣに送信することとを含む、
方法。
【請求項２】
前記ホストペイロードからの非暗号化ホストテレメトリ及び前記ホステッドペイロードからの非暗号化ホステッドテレメトリを暗号化することが、ａ）前記第１ＣＯＭＳＥＣバラエティを利用して前記ホストテレメトリ及び前記ホステッドテレメトリの両方を暗号化するか、またはｂ）前記第１ＣＯＭＳＥＣバラエティを利用して前記ホストテレメトリを暗号化し且つ前記第２ＣＯＭＳＥＣバラエティを利用して前記ホステッドテレメトリを暗号化するか、の少なくとも一方を含む、請求項１に記載の方法。
【請求項３】
テレメトリ送信器によって送信することが、
ａ）前記輸送体上のテレメトリ送信器によって、前記暗号化ホストテレメトリ及び前記暗号化ホステッドテレメトリを前記ホストＳＯＣに送信し、その後前記ホストＳＯＣによって、前記暗号化ホステッドテレメトリを前記ＨＯＣに送信するか、または
ｂ）前記輸送体上のホストテレメトリ送信器によって、前記暗号化ホストテレメトリを前記ホストＳＯＣに送信し、且つホステッドテレメトリ送信器によって、前記暗号化ホステッドテレメトリを前記ＨＯＣに送信するか
の少なくとも一方を含む、請求項１または２に記載の方法。
【請求項４】
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、請求項１から３のいずれか一項に記載の方法。
【請求項５】
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、請求項１から４のいずれか一項に記載の方法。
【請求項６】
前記輸送体が飛行輸送体である、請求項１から５のいずれか一項に記載の方法。
【請求項７】
前記飛行輸送体が、衛星、航空機、無人航空機（ＵＡＶ）、又は宇宙飛行機のうちの１つである、請求項６に記載の方法。
【請求項８】
前記ＨＯＣによって、前記第２ＣＯＭＳＥＣバラエティを利用することにより前記非暗号化ホステッドコマンドを暗号化して、前記暗号化ホステッドコマンドを作成することと、
前記ホストＳＯＣによって、前記第１ＣＯＭＳＥＣバラエティを利用することにより前記非暗号化ホストコマンドを暗号化して、前記暗号化ホストコマンドを作成することとを更に含む、請求項１から７のいずれか一項に記載の方法。
【請求項９】
前記輸送体上のホストコマンド受信器によって、前記暗号化ホストコマンドを受信することと、
前記輸送体上のホステッドコマンド受信器によって、前記暗号化ホステッドコマンドを受信することと、
前記ホストコマンド受信器によって、前記暗号化ホストコマンドを前記第１通信セキュリティモジュールに送信することと、
前記ホステッドコマンド受信器によって、前記暗号化ホステッドコマンドを前記第２通信セキュリティモジュールに送信することとを更に含む、請求項１から８のいずれか一項に記載の方法。
【請求項１０】
前記第１通信セキュリティモジュールによって、前記非暗号化ホストコマンドを前記ホストペイロードに送信することと、
前記第２通信セキュリティモジュールによって、前記非暗号化ホステッドコマンドを前記ホステッドペイロードに送信することとを更に含む、請求項１から９のいずれか一項に記載の方法。
【請求項１１】
前記ホストペイロードによって、前記第１通信セキュリティモジュールに前記非暗号化ホストテレメトリを送信することと、
前記ホステッドペイロードによって、ａ）前記第１通信セキュリティモジュールかまたはｂ）前記第２通信セキュリティモジュールの少なくとも一方に前記非暗号化ホステッドテレメトリを送信することとを更に含む、請求項１から１０のいずれか一項に記載の方法。
【請求項１２】
ａ）前記第１通信セキュリティモジュールによって、前記暗号化ホストテレメトリ及び前記暗号化ホステッドテレメトリを前記テレメトリ送信器に送信することか、またはｂ）前記第１通信セキュリティモジュールによって、前記暗号化ホストテレメトリをホストテレメトリ送信器に送信し、且つ前記第２通信セキュリティモジュールによって、前記暗号化ホステッドテレメトリをホステッドテレメトリ送信器に送信すること、の少なくとも一方を更に含む、請求項１から１１のいずれか一項に記載の方法。
【請求項１３】
前記ホストＳＯＣによって、前記第１ＣＯＭＳＥＣバラエティを利用して、且つホステッド逆変換情報を有さないデータベースを利用して、前記暗号化ホストテレメトリを復号し、前記非暗号化ホストテレメトリを生成することと、
前記ＨＯＣによって、ａ）前記第１ＣＯＭＳＥＣバラエティかまたはｂ）前記第２ＣＯＭＳＥＣバラエティの少なくとも一方を利用して、且つホスト逆変換情報を有さないデータベースを利用して、前記暗号化ホステッドテレメトリを復号し、前記非暗号化ホステッドテレメトリを生成することとを更に含む、請求項１から１２のいずれか一項に記載の方法。
【請求項１４】
ホステッドペイロードオペレーションのためのシステムであって、
暗号化ホステッドコマンドをａ）輸送体かまたはｂ）ホスト宇宙船オペレーションセンター（ＳＯＣ）の少なくとも一方に送信するための、ホステッドペイロード（ＨｏＰ）オペレーションセンター（ＨＯＣ）であって、
前記ホストＳＯＣが、ａ）暗号化ホストコマンドを前記輸送体に送信するか、またはｂ）暗号化ホストコマンド及び前記暗号化ホステッドコマンドを前記輸送体に送信し、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、ＨＯＣと、
前記第１ＣＯＭＳＥＣバラエティを利用して前記暗号化ホストコマンドを復号し、非暗号化ホストコマンドを生成するための、前記輸送体上の第１通信セキュリティモジュールと、
前記第２ＣＯＭＳＥＣバラエティを利用して前記暗号化ホステッドコマンドを復号し、非暗号化ホステッドコマンドを生成するための、前記輸送体上の第２通信セキュリティモジュールと、
前記非暗号化ホストコマンドに従って再設定される、前記輸送体上のホストペイロードと、
前記非暗号化ホステッドコマンドに従って再設定される、前記輸送体上のホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナとを備え、
前記第１通信セキュリティモジュールは、ａ）暗号化ホストテレメトリ及び暗号化ホステッドテレメトリを生成するために、前記第１ＣＯＭＳＥＣバラエティを利用することにより前記ホストペイロードからの非暗号化ホストテレメトリ及び前記ホステッドペイロードからの非暗号化ホステッドテレメトリを暗号化するか、またはｂ）暗号化ホストテレメトリを生成するために、前記第１ＣＯＭＳＥＣバラエティを利用することにより前記ホストペイロードからの非暗号化ホストテレメトリを暗号化するか、の少なくとも一方を行い、前記システムは更に、
前記暗号化ホストテレメトリを前記ホストＳＯＣに送信し且つ前記暗号化ホステッドテレメトリを前記ＨＯＣに送信するための、前記輸送体上のテレメトリ送信器を備える、システム。
【請求項１５】
前記テレメトリ送信器が、
ａ）前記暗号化ホストテレメトリ及び前記暗号化ホステッドテレメトリを前記ホストＳＯＣに送信するためのテレメトリ送信器であって、前記ホストＳＯＣは、その後前記暗号化ホステッドテレメトリを前記ＨＯＣに送信する、テレメトリ送信器、または
ｂ）前記暗号化ホストテレメトリを前記ホストＳＯＣに送信するための前記輸送体上のホストテレメトリ送信器、及び前記暗号化ホステッドテレメトリを前記ＨＯＣに送信するための前記輸送体上のホステッドテレメトリ送信器
の少なくとも一方を含む、請求項１４に記載のシステム。
【手続補正２】
【補正対象書類名】明細書
【補正対象項目名】０１０４
【補正方法】変更
【補正の内容】
【０１０４】
［００１１１］したがって、実施形態は、特許請求の範囲内に含まれうる代替例、改変例、及び等価物を例示するためのものである。また、本発明は以下に記載する態様を含む。
（態様１）
ホステッドペイロードオペレーションのための方法であって、
ホステッドペイロード（ＨｏＰ）オペレーションセンター（ＨＯＣ）によって、暗号化ホステッドコマンドをホスト宇宙船オペレーションセンター（ＳＯＣ）に送信することと、
前記ホストＳＯＣによって、暗号化ホストコマンド及び前記暗号化ホステッドコマンドを輸送体に送信することであって、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、輸送体に送信することと、
前記輸送体上の第１通信セキュリティモジュールによって、前記第１ＣＯＭＳＥＣバラエティを利用して前記暗号化ホストコマンドを復号し、非暗号化ホストコマンドを生成することと、
前記輸送体上の第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従って前記輸送体上のホストペイロードを再設定することと、
前記非暗号化ホステッドコマンドに従って前記輸送体上のホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用することにより前記ホストペイロードからの非暗号化ホストテレメトリ及び前記ホステッドペイロードからの非暗号化ホステッドテレメトリを暗号化し、暗号化ホストテレメトリ及び暗号化ホステッドテレメトリを生成することと、
前記輸送体上のテレメトリ送信器によって、前記暗号化ホストテレメトリ及び前記暗号化ホステッドテレメトリを前記ホストＳＯＣに送信することと、
前記ホストＳＯＣによって、前記暗号化ホステッドテレメトリを前記ＨＯＣに送信することとを含む、
方法。
（態様２）
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、態様１に記載の方法。
（態様３）
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、態様１に記載の方法。
（態様４）
前記輸送体が飛行輸送体である、態様１に記載の方法。
（態様５）
前記飛行輸送体が、衛星、航空機、無人航空機（ＵＡＶ）、又は宇宙飛行機のうちの１つである、態様４に記載の方法。
（態様６）
前記ＨＯＣによって、前記第２ＣＯＭＳＥＣバラエティを利用することにより前記非暗号化ホステッドコマンドを暗号化して、前記暗号化ホステッドコマンドを作成することと、
前記ホストＳＯＣによって、前記第１ＣＯＭＳＥＣバラエティを利用することにより前記非暗号化ホストコマンドを暗号化して、前記暗号化ホストコマンドを作成することとを更に含む、態様１に記載の方法。
（態様７）
前記輸送体上のホストコマンド受信器によって、前記暗号化ホストコマンドを受信することと、
前記輸送体上のホステッドコマンド受信器によって、前記暗号化ホステッドコマンドを受信することと、
前記ホストコマンド受信器によって、前記暗号化ホストコマンドを前記第１通信セキュリティモジュールに送信することと、
前記ホステッドコマンド受信器によって、前記暗号化ホステッドコマンドを前記第２通信セキュリティモジュールに送信することとを更に含む、態様１に記載の方法。
（態様８）
前記第１通信セキュリティモジュールによって、前記非暗号化ホストコマンドを前記ホストペイロードに送信することと、
前記第２通信セキュリティモジュールによって、前記非暗号化ホステッドコマンドを前記ホステッドペイロードに送信することとを更に含む、態様１に記載の方法。
（態様９）
前記ホストペイロードによって、前記第１通信セキュリティモジュールに前記非暗号化ホストテレメトリを送信することと、
前記ホステッドペイロードによって、前記第１通信セキュリティモジュールに前記非暗号化ホステッドテレメトリを送信することとを更に含む、態様１に記載の方法。
（態様１０）
前記第１通信セキュリティモジュールによって、前記暗号化ホストテレメトリ及び前記暗号化ホステッドテレメトリを前記テレメトリ送信器に送信することを更に含む、態様１に記載の方法。
（態様１１）
前記ホストＳＯＣによって、前記第１ＣＯＭＳＥＣバラエティを利用して、且つホステッド逆変換情報を有さないデータベースを利用して、前記暗号化ホストテレメトリを復号し、前記非暗号化ホストテレメトリを生成することと、
前記ＨＯＣによって、前記第１ＣＯＭＳＥＣバラエティを利用して、且つホスト逆変換情報を有さないデータベースを利用して、前記暗号化ホステッドテレメトリを復号し、前記非暗号化ホステッドテレメトリを生成することとを更に含む、態様１に記載の方法。
（態様１２）
ホステッドペイロードオペレーションのための方法であって、
ホステッドペイロード（ＨｏＰ）オペレーションセンター（ＨＯＣ）によって、暗号化ホステッドコマンドをホスト宇宙船オペレーションセンター（ＳＯＣ）に送信することと、
前記ホストＳＯＣによって、暗号化ホストコマンド及び前記暗号化ホステッドコマンドを輸送体に送信することであって、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、輸送体に送信することと、
第１通信セキュリティモジュールによって、前記第１ＣＯＭＳＥＣバラエティを利用して前記暗号化ホストコマンドを復号し、非暗号化ホストコマンドを生成することと、
第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従ってホストペイロードを再設定することと、
前記非暗号化ホステッドコマンドに従ってホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用して非暗号化ホストテレメトリを暗号化し、暗号化ホストテレメトリを生成することと、
ホストテレメトリ送信器によって、前記暗号化ホストテレメトリを前記ホストＳＯＣに送信することと、
前記第２通信セキュリティモジュールによって、前記第２ＣＯＭＳＥＣバラエティを利用して非暗号化ホステッドテレメトリを暗号化し、暗号化ホステッドテレメトリを生成することと、
ホステッドテレメトリ送信器によって、前記暗号化ホステッドテレメトリを前記ホストＳＯＣに送信することと、
前記ホストＳＯＣによって、前記暗号化ホステッドテレメトリを前記ＨＯＣに送信することとを含む、
方法。
（態様１３）
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、態様１２に記載の方法。
（態様１４）
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、態様１２に記載の方法。
（態様１５）
前記輸送体が飛行輸送体である、態様１２に記載の方法。
（態様１６）
前記飛行輸送体が、衛星、航空機、無人航空機（ＵＡＶ）、又は宇宙飛行機のうちの１つである、態様１５に記載の方法。
（態様１７）
ホステッドペイロードオペレーションのための方法であって、
ホステッドペイロード（ＨｏＰ）オペレーションセンター（ＨＯＣ）によって、暗号化ホステッドコマンドを輸送体に送信することと、
ホスト宇宙船オペレーションセンター（ＳＯＣ）によって、暗号化ホストコマンドを前記輸送体に送信することとを含み、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化され、更に、
前記輸送体上の第１通信セキュリティモジュールによって、前記第１通信セキュリティ（ＣＯＭＳＥＣ）バラエティを利用して前記暗号化ホストコマンドを復号し、非暗号化ホストコマンドを生成することと、
前記輸送体上の第２通信セキュリティモジュールによって、前記第２ＣＯＭＳＥＣバラエティを利用して前記暗号化ホステッドコマンドを復号し、非暗号化ホステッドコマンドを生成することと、
前記非暗号化ホストコマンドに従ってホストペイロードを再設定することと、
前記非暗号化ホステッドコマンドに従ってホステッドペイロードを再設定することと、
前記輸送体上のホストペイロードアンテナによって、ホストペイロードデータをホスト受信アンテナに送信することと、
前記輸送体上のホステッドペイロードアンテナによって、ホステッドペイロードデータをホステッド受信アンテナと前記ホスト受信アンテナの少なくとも一方に送信することと、
前記第１通信セキュリティモジュールによって、前記第１ＣＯＭＳＥＣバラエティを利用して非暗号化ホストテレメトリを暗号化し、暗号化ホストテレメトリを生成することと、
前記輸送体上のホストテレメトリ送信器によって、前記暗号化ホストテレメトリを前記ホストＳＯＣに送信することと、
前記第２通信セキュリティモジュールによって、前記第２ＣＯＭＳＥＣバラエティを利用して非暗号化ホステッドテレメトリを暗号化し、暗号化ホステッドテレメトリを生成することと、
前記ホステッドテレメトリ送信器によって、前記暗号化ホステッドテレメトリを前記ＨＯＣに送信することとを含む、
方法。
（態様１８）
前記非暗号化ホストコマンドに従って前記ホストペイロードを再設定すること、及び前記非暗号化ホステッドコマンドに従って前記ホステッドペイロードを再設定することが、トランスポンダ電力、トランスポンダスペクトルモニタリング、トランスポンダ接続、トランスポンダ利得設定、トランスポンダリミッタ設定、トランスポンダ自動レベル制御設定、トランスポンダ位相設定、内部利得発生、少なくとも１つのビームの帯域幅、前記少なくとも１つのビームのうちの少なくとも１つのビームの少なくとも１つの周波数帯域、トランスポンダビームフォーミング設定、前記少なくとも１つのビームうちの少なくとも１つの実効等方輻射電力（ＥＩＲＰ）、トランスポンダチャネル、又はビームステアリング、のうちの少なくとも１つを調整することを含む、態様１７に記載の方法。
（態様１９）
前記非暗号化ホストコマンドに従って前記ホストペイロードを再設定すること、及び前記非暗号化ホステッドコマンドに従って前記ホステッドペイロードを再設定することが、少なくとも１つのアンテナ、少なくとも１つのアナログデジタル変換器、少なくとも１つのデジタルアナログ変換器、少なくとも１つのビームフォーマ、少なくとも１つのデジタルチャネライザ、少なくとも１つの復調器、少なくとも１つの変調器、少なくとも１つのデジタルスイッチマトリクス、又は少なくとも１つのデジタル結合器、のうちの少なくとも１つを再設定することを含む、態様１７に記載の方法。
（態様２０）
前記輸送体が飛行輸送体であり、
前記飛行輸送体が、衛星、航空機、無人航空機（ＵＡＶ）、又は宇宙飛行機のうちの１つである、態様１７に記載の方法。
（態様２１）
ホステッドペイロードオペレーションのためのシステムであって、
暗号化ホステッドコマンドをホスト宇宙船オペレーションセンター（ＳＯＣ）に送信するための、ホステッドペイロード（ＨｏＰ）オペレーションセンター（ＨＯＣ）であって、
前記ホストＳＯＣが、暗号化ホストコマンド及び前記暗号化ホステッドコマンドを輸送体に送信し、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、ＨＯＣと、
前記第１ＣＯＭＳＥＣバラエティを利用して前記暗号化ホストコマンドを復号し、非暗号化ホストコマンドを生成するための、前記輸送体上の第１通信セキュリティモジュールと、
前記第２ＣＯＭＳＥＣバラエティを利用して前記暗号化ホステッドコマンドを復号し、非暗号化ホステッドコマンドを生成するための、前記輸送体上の第２通信セキュリティモジュールと、
前記非暗号化ホストコマンドに従って再設定される、前記輸送体上のホストペイロードと、
前記非暗号化ホステッドコマンドに従って再設定される、前記輸送体上のホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナとを備え、
前記第１通信セキュリティモジュールは、前記第１ＣＯＭＳＥＣバラエティを利用することにより前記ホストペイロードからの非暗号化ホストテレメトリ及び前記ホステッドペイロードからの非暗号化ホステッドテレメトリを暗号化して、暗号化ホストテレメトリ及び暗号化ホステッドテレメトリを生成し、前記システムは更に、
前記暗号化ホストテレメトリ及び前記暗号化ホステッドテレメトリを前記ホストＳＯＣに送信するための、前記輸送体上のテレメトリ送信器を備え、
前記ホストＳＯＣが前記暗号化ホステッドテレメトリを前記ＨＯＣに送信する、
システム。
（態様２２）
ホステッドペイロードオペレーションのためのシステムであって、
暗号化ホステッドコマンドをホスト宇宙船オペレーションセンター（ＳＯＣ）に送信するための、ホステッドペイロード（ＨｏＰ）オペレーションセンター（ＨＯＣ）であって、
前記ホストＳＯＣが、暗号化ホストコマンド及び前記暗号化ホステッドコマンドを輸送体に送信し、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化される、ＨＯＣと、
前記第１ＣＯＭＳＥＣバラエティを利用して前記暗号化ホストコマンドを復号し、非暗号化ホストコマンドを生成するための、第１通信セキュリティモジュールと、
前記第２ＣＯＭＳＥＣバラエティを利用して前記暗号化ホステッドコマンドを復号し、非暗号化ホステッドコマンドを生成するための、第２通信セキュリティモジュールと、
前記非暗号化ホストコマンドに従って再設定されるホストペイロードと、
前記非暗号化ホステッドコマンドに従って再設定されるホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナと、を備え、
前記第１通信セキュリティモジュールは、前記第１ＣＯＭＳＥＣバラエティを利用して非暗号化ホストテレメトリを暗号化して、暗号化ホストテレメトリを生成し、前記システムは更に、
前記暗号化ホストテレメトリを前記ホストＳＯＣに送信するためのホストテレメトリ送信器を備え、
前記第２通信セキュリティモジュールは、第２ＣＯＭＳＥＣバラエティを利用して非暗号化ホステッドテレメトリを暗号化して、暗号化ホステッドテレメトリを生成し、前記システムは更に、
前記暗号化ホステッドテレメトリを前記ホストＳＯＣに送信するためのホステッドテレメトリ送信器を備え、
前記ホストＳＯＣが前記暗号化ホステッドテレメトリを前記ＨＯＣに送信する、
システム。
（態様２３）
ホステッドペイロードオペレーションのためのシステムであって、
暗号化ホステッドコマンドを輸送体に送信するための、ホステッドペイロード（ＨｏＰ）オペレーションセンター（ＨＯＣ）と、
暗号化ホストコマンドを前記輸送体に送信するための、ホスト宇宙船オペレーションセンター（ＳＯＣ）とを備え、
前記暗号化ホストコマンドは第１通信セキュリティ（ＣＯＭＳＥＣ）バラエティを利用して暗号化され、前記暗号化ホステッドコマンドは第２ＣＯＭＳＥＣバラエティを利用して暗号化され、前記システムは更に、
前記第１通信セキュリティ（ＣＯＭＳＥＣ）バラエティを利用して前記暗号化ホストコマンドを復号し、非暗号化ホストコマンドを生成するための、前記輸送体上の第１通信セキュリティモジュールと、
前記第２ＣＯＭＳＥＣバラエティを利用して前記暗号化ホステッドコマンドを復号し、非暗号化ホステッドコマンドを生成するための、前記輸送体上の第２通信セキュリティモジュールと、
前記非暗号化ホストコマンドに従って再設定されるホストペイロードと、
前記非暗号化ホステッドコマンドに従って再設定されるホステッドペイロードと、
ホストペイロードデータをホスト受信アンテナに送信するための、前記輸送体上のホストペイロードアンテナと、
ホステッドペイロードデータをホステッド受信アンテナと前記ホスト受信アンテナの少なくとも一方に送信するための、前記輸送体上のホステッドペイロードアンテナとを備え、
前記第１通信セキュリティモジュールは、前記第１ＣＯＭＳＥＣバラエティを利用して非暗号化ホストテレメトリを暗号化して、暗号化ホストテレメトリを生成し、前記システムは更に、
前記暗号化ホストテレメトリを前記ホストＳＯＣに送信するための、前記輸送体上のホストテレメトリ送信器を備え、
前記第２通信セキュリティモジュールは、前記第２ＣＯＭＳＥＣバラエティを利用して非暗号化ホステッドテレメトリを暗号化して、暗号化ホステッドテレメトリを生成し、
前記ホストテレメトリ送信器が前記暗号化ホステッドテレメトリを前記ＨＯＣに送信する、
システム。
【国際調査報告】
2021530883.tif 000017
2021530883.tif 000018